(57)【要約】【課題】電子装置におけるお知らせを提供する方法及びその電子装置を提供する。【解決手段】電子装置におけるお知らせ情報を提供する方法は、前記電子装置と外部装置の間の無線通信を設定する（ｅｓｔａｂｌｉｓｈ）するステップ；前記電子装置に通知されるイベントを検出するステップ；前記電子装置の状態を獲得するステップ及び前記電子装置の状態に基づいて、外部装置に前記イベントに対するお知らせ（ｎｏｔｉｆｉｃａｔｉｏｎ）を送信するか否かを決定するステップを含む。電子装置は、前記電子装置と外部装置の間の無線通信を設定する（ｅｓｔａｂｌｉｓｈ）するトランシーバ及び前記電子装置に通知されるイベントを検出し、前記電子装置の状態を獲得し、前記電子装置の状態に基づいて、外部装置に前記イベントに対するお知らせ（ｎｏｔｉｆｉｃａｔｉｏｎ）を送信するかを決定するプロセッサを含む。他の実施形態も記載（ｄｉｓｃｌｏｓｅ）されている。【選択図】図７
2020039150.tif 000002
【特許請求の範囲】
【請求項１】
電子装置において、
前記電子装置と外部装置の間の無線通信を設定する（ｅｓｔａｂｌｉｓｈ）するトランシーバ；及び
前記電子装置に通知されるイベントを検出し、
前記電子装置の状態を獲得し、
前記電子装置の状態に基づいて、外部装置に前記イベントに対するお知らせ（ｎｏｔｉｆｉｃａｔｉｏｎ）を送信するか否かを決定するプロセッサを含む装置。
【請求項２】
前記電子装置の画面（ｓｃｒｅｅｎ）がお知らせを表示できない場合、前記電子装置は前記外部装置に前記お知らせを送信することを含む請求項１に記載の装置。
【請求項３】
前記電子装置は、節電モード（ｐｏｗｅｒ  ｓａｖｉｎｇ  ｍｏｄｅ）にあることを含む請求項２に記載の装置。
【請求項４】
前記電子装置の画面はソフトウェアプログラムによって占有されていることを含む請求項２に記載の装置。
【請求項５】
前記プロセッサは、
前記外部装置の状態を獲得し、
外部客体の状態に基づいて、前記電子装置の画面を介して前記お知らせを示すか否か（ｐｒｅｓｅｎｔ）を決定することを含む請求項１に記載の装置。
【請求項６】
前記外部装置がお知らせを表示できない場合、前記電子装置は前記お知らせを表示することを含む請求項５に記載の装置。
【請求項７】
前記プロセッサは前記通知されるイベントが前記電子装置の状態より優先権（ｐｒｉｏｒｉｔｙ）を有するか否かを決定することを含む請求項１に記載の装置。
【請求項８】
前記プロセッサは、前記電子装置とユーザの視界（ｖｉｓｉｂｉｌｉｔｙ）内に位置する前記外部装置のうち１つを決定し、
前記決定された装置を介して前記お知らせを表示することを含む請求項１に記載の装置。
【請求項９】
前記プロセッサは前記電子装置と前記外部装置の間の距離を測定し、
前記距離がしきい値距離（ｔｈｒｅｓｈｏｌｄ  ｄｉｓｔａｎｃｅ）以下の場合は前記お知らせを送信することを含む請求項１に記載の装置。
【請求項１０】
前記プロセッサは前記お知らせが前記外部装置に送信される際、前記外部装置を介してお知らせが読み取られるかを（ｒｅａｄ）決定し、前記お知らせの読み取り（ｒｅａｄｉｎｇ）状態を前記電子装置に保存させることを含む請求項１に記載の装置。
【請求項１１】
電子装置の方法において、
前記電子装置と外部装置の間の無線通信を設定する（ｅｓｔａｂｌｉｓｈ）するステップ；及び
前記電子装置に通知されるイベントを検出するステップ；
前記電子装置の状態を獲得するステップ；及び
前記電子装置の状態に基づいて、外部装置に前記イベントに対するお知らせ（ｎｏｔｉｆｉｃａｔｉｏｎ）を送信するかを決定するステップを含む方法。
【請求項１２】
前記電子装置の画面（ｓｃｒｅｅｎ）がお知らせを表示できない場合、前記電子装置は前記外部装置に前記お知らせを送信することを含む請求項１１に記載の方法。
【請求項１３】
前記外部装置の状態を獲得するステップ；及び
外部客体の状態に基づいて、前記電子装置の画面を介して前記お知らせを示すか否か（ｐｒｅｓｅｎｔ）を決定するステップをさらに含む請求項１１に記載の方法。
【請求項１４】
前記通知されるイベントが前記電子装置の状態より優先権（ｐｒｉｏｒｉｔｙ）を有するか否かを決定するステップをさらに含む請求項１１に記載の方法。
【請求項１５】
前記お知らせが前記外部装置に送信される際、前記外部装置を介してお知らせが読み取られるかを（ｒｅａｄ）決定するステップ、及び前記お知らせの読み取り（ｒｅａｄｉｎｇ）状態を前記電子装置に保存するステップをさらに含む請求項１１に記載の方法。
【発明の詳細な説明】
【技術分野】
【０００１】
本発明は、電子装置におけるお知らせを提供する方法及びその電子装置に関する。
【背景技術】
【０００２】
移動通信技術の発展に伴い、電子装置は、スマートフォン、着用可能なデバイス、タブレットＰＣなど様々な形態で提供され、電子装置間の通信システムを介して様々なデータを送受信できる。電子装置は、電話機能、メッセージ機能、アラーム機能のような様々な機能を提供できる。
【０００３】
電子装置は、様々な出力方法によって電子装置で発生したイベントをユーザに提供することができ、様々な通信方式で他の電子装置とイベントに関する情報を送受信できる。
【先行技術文献】
【特許文献】
【０００４】
【特許文献１】特開２０１０−７４２１５号公報
【特許文献２】特開２０１０−２６８３３０号公報
【特許文献３】特開２０１２−６０４９４号公報
【特許文献４】特開２０１２−２１２９５８号公報
【特許文献５】国際公開第２０１２／１５７３２８号
【発明の概要】
【発明が解決しようとする課題】
【０００５】
従来の技術によれば、ユーザがお知らせを提供するための複数の電子装置を用いる場合、それぞれの電子装置を介して同じお知らせ情報を提供されるため、不要なお知らせが重複して提供される場合があり、そのため、それぞれの電子装置で電力消費が増加し得る。さらに、電子装置を介して確認したお知らせ情報を他の装置を介して重複して提供されるため、同じお知らせ情報をユーザが繰り返して確認しなければならない不便が発生する場合がある。
【０００６】
電子装置の動作方法は、前記電子装置と外部装置（ｅｘｔｅｒｎａｌ  ｄｅｖｉｃｅ）の間の無線通信を設定する（ｅｓｔａｂｌｉｓｈ）するステップ、前記電子装置に通知されるイベントを検出するステップ、前記電子装置の状態を獲得するステップ、及び前記電子装置の状態に基づいて、外部装置に前記イベントに対するお知らせ（ｎｏｔｉｆｉｃａｔｉｏｎ）を送信するか否かを決定するステップを含む。
【０００７】
一実施形態によれば、前記電子装置の画面（ｓｃｒｅｅｎ）がお知らせを表示できない場合、前記電子装置は前記外部装置に前記お知らせを送信できる。
【０００８】
一実施形態によれば、前記電子装置は、節電モード（ｐｏｗｅｒ  ｓａｖｉｎｇ  ｍｏｄｅ）で動作することができる。
【０００９】
一実施形態によれば、前記電子装置の画面は、ソフトウェアプログラムによって占有される場合がある。
【００１０】
一実施形態によれば、前記電子装置の動作方法は、外部装置の状態を獲得する動作をさらに含むことができる。
【００１１】
一実施形態によれば、前記電子装置の動作方法は、外部客体（ｅｘｔｅｒｎａｌ  ｏｂｊｅｃｔ）の状態に基づいて前記電子装置の画面を介して前記お知らせを示すか否かを決定する動作をさらに含むことができる。
【００１２】
一実施形態によれば、外部装置がお知らせを出力することが不可能な場合は前記電子装置は前記お知らせを出力できる。
【００１３】
一実施形態によれば、前記電子装置の動作方法は、通知されるイベントが前記電子装置の状態より優先権（ｐｒｉｏｒｉｔｙ）を有するか否かを決定する動作をさらに含むことができる。
【００１４】
一実施形態によれば、前記電子装置の動作方法は、前記電子装置又は前記外部装置のうちユーザの視界内に位置する１つの装置を決定し、前記決定された装置を介して前記お知らせを表示する動作をさらに含むことができる。
【００１５】
一実施形態によれば、前記電子装置の動作方法は、前記電子装置と前記外部装置の距離を測定し、前記距離がしきい値距離より小さければ前記お知らせを送信する動作をさらに含むことができる。
【００１６】
一実施形態によれば、前記電子装置の動作方法は、前記外部装置にお知らせが送信される際、前記外部装置を介して前記お知らせが読み取られる（ｒｅａｄ）かを決定し、前記お知らせの読み取り状態を前記電子装置に保存する動作をさらに含むことができる。
【００１７】
電子装置は、前記電子装置と外部装置の間の無線通信を設定する（ｅｓｔａｂｌｉｓｈ）するトランシーバ及び前記電子装置に通知されるイベントを検出し、前記電子装置の状態を獲得し、そして、前記電子装置の状態に基づいて、外部装置に前記イベントに対するお知らせ（ｎｏｔｉｆｉｃａｔｉｏｎ）を送信するか否かを決定するプロセッサを含むことができる。
【００１８】
一実施形態によれば、前記電子装置は、前記電子装置の画面（ｓｃｒｅｅｎ）がお知らせを表示できない場合、前記外部装置に前記お知らせを送信するように構成されることができる。
【００１９】
一実施形態によれば、前記電子装置は、節電モード（ｐｏｗｅｒ  ｓａｖｉｎｇ  ｍｏｄｅ）の場合がある。
【００２０】
一実施形態によれば、前記電子装置の画面は、ソフトウェアプログラムによって占有されている場合がある。
【００２１】
一実施形態によれば、前記プロセッサは、前記外部装置の状態を獲得し、前記外部客体（ｅｘｔｅｒｎａｌ  ｏｂｊｅｃｔ）の状態に基づいて、前記電子装置の画面を介して前記お知らせを示すか否かを決定するように構成されることができる。
【００２２】
一実施形態によれば、前記外部装置がお知らせを表示できない場合、前記電子装置は前記お知らせを表示するように構成されることができる。
【００２３】
一実施形態によれば、前記プロセッサは、前記通知されるイベントが前記電子装置の状態より優先権を有するか否かを決定するように構成されることができる。
【００２４】
一実施形態によれば、前記プロセッサは、前記電子装置又は前記外部装置のうちユーザの視界内に位置する１つの装置を決定し、前記決定された装置を介して前記お知らせを表示するように構成されることができる。
【００２５】
一実施形態によれば、前記プロセッサは、前記電子装置と前記外部装置の間の距離を測定するように構成されることができる。
【００２６】
一実施形態によれば、前記プロセッサは、前記距離がしきい値距離より小さければ前記お知らせを送信するように構成されることができる。
【００２７】
一実施形態によれば、前記プロセッサは、前記外部装置にお知らせが送信される際、前記外部装置を介して前記お知らせが読み取られる（ｒｅａｄ）かを決定するように構成されることができる。
【００２８】
一実施形態によれば、前記プロセッサは、前記お知らせの読み取り状態を前記電子装置に保存するように構成されることができる。
【００２９】
下記の具体的な内容の説明の前に、本特許文書全般にわたって用いられる特定の単語及び句の定義を記載することが有利であり得る。用語「含む（ｉｎｃｌｕｄｅ）」及び「構成する（ｃｏｍｐｒｉｓｅ）」だけでなくそれらの派生語は制限なく含むことを意味する。用語「又は」は包括的な意味であって、「及び／又は」を意味する。「〜と関連付けられた（ａｓｓｏｃｉａｔｅｄ  ｗｉｔｈ）」、「〜とともに関連付けられた（ａｓｓｏｃｉａｔｅｄ  ｔｈｅｒｅｗｉｔｈ）」だけでなくそれらの派生語は「含む（ｉｎｃｌｕｄｅ）」、「〜内に含まれる（ｂｅ  ｉｎｃｌｕｄｅｄ  ｗｉｔｈｉｎ）」、「〜と互いに連結する（ｉｎｔｅｒｃｏｎｎｅｃｔ  ｗｉｔｈ）」、「含む（ｃｏｎｔａｉｎ）」 、「〜の内に含まれる（ｂｅ  ｃｏｎｔａｉｎｅｄ  ｗｉｔｈｉｎ）」、「〜に、あるいは〜と接続する（ｃｏｎｎｅｃｔ  ｔｏ  ｏｒ  ｗｉｔｈ）」、「〜に、あるいは〜と結合する（ｃｏｕｐｌｅ  ｔｏ  ｏｒ  ｗｉｔｈ）」、「〜と通信可能である（ｂｅ  ｃｏｍｍｕｎｉｃａｂｌｅ  ｗｉｔｈ）」、「〜と協力する（ｃｏｏｐｅｒａｔｅ  ｗｉｔｈ）」、「挟む（ｉｎｔｅｒｌｅａｖｅ）」、「並置する（ｊｕｘｔａｐｏｓｅ）」、「〜に隣接する（ｂｅ  ｐｒｏｘｉｍａｔｅ  ｔｏ）」、「〜に、あるいは〜と隣接される（ｂｅ  ｂｏｕｎｄ  ｔｏ  ｏｒ  ｗｉｔｈ）」、「持つ（ｈａｖｅ）」、「〜の特性を持つ（ｈａｖｅ  ａ  ｐｒｏｐｅｒｔｙ  ｏｆ）」などを意味する。用語「制御器（ｃｏｎｔｒｏｌｌｅｒ）」は、少なくとも１つの動作を制御する任意の装置、システムまたはそれらの一部を意味する。そのような装置は、ハードウェア、ソフトウェア、若しくはファームウェア（ｆｉｒｍｗａｒｅ）、又はそれらの少なくとも２つの組み合わせで具現され得る。任意の特定の制御器に関連づけられた機能は、局所的であるか遠隔であるかにかかわらず集中化または分散化され得る。他の特定の単語及び句に対する定義が本特許文書全般にわたって提供される。当業者は、そのような定義が定義された単語及び句として将来だけでなく従来の使用に対しても適用されることができることを理解すべきである。
【図面の簡単な説明】
【００３０】
本発明及びその特徴に対するより完璧な理解のために、本発明の実施形態は添付される図面を参照して説明される。
【００３１】
【図１】本発明の様々な実施形態による電子装置のブロック図である。
【図２】本発明の様々な実施形態による電子装置に対するお知らせ制御モジュールを示す図である。
【図３Ａ】本発明の様々な実施形態による電子装置におけるお知らせ情報の出力を制御する動作を示す図である。
【図３Ｂ】本発明の様々な実施形態による電子装置におけるお知らせ情報の出力を制御する動作を示す図である。
【図４Ａ】本発明の様々な実施形態による電子装置におけるお知らせ情報の出力を制御する動作を示す図である。
【図４Ｂ】本発明の様々な実施形態による電子装置におけるお知らせ情報の出力を制御する動作を示す図である。
【図４Ｃ】本発明の様々な実施形態による電子装置におけるお知らせ情報の出力を制御する動作を示す図である。
【図５Ａ】本発明の様々な実施形態による電子装置におけるお知らせ情報の出力を制御する動作を示す図である。
【図５Ｂ】本発明の様々な実施形態による電子装置におけるお知らせ情報の出力を制御する動作を示す図である。
【図６】本発明の様々な実施形態による電子装置におけるお知らせ情報を処理する動作を示す図である。
【図７】本発明の様々な実施形態による電子装置におけるお知らせ情報を処理する動作の流れを示すフローチャートである。
【図８】本発明の様々な実施形態による電子装置におけるお知らせ情報を提供する動作の流れを示すフローチャートである。
【図９】本発明の様々な実施形態によるハードウェアのブロック図である。
【発明を実施するための形態】
【００３２】
後述される図１乃至９、及び本特許文書で本発明の原理を説明するために使用される様々な例は例示のためのものにすぎず、いかなる方式であっても本発明の範囲を限定する意味として解釈されてはならない。当業者は本発明の原理が任意の適切な方式及び適切に配列された装置又はシステムの任意の類型で具現され得ることを理解できるであろう。
【００３３】
以下、本発明の様々な実施形態は、電子装置で受信する様々なデータ又は電子装置で発生したイベントに対するお知らせを出力する方法及びその電子装置を添付された図面を参照して本発明を説明するものである。
【００３４】
お知らせを提供する方法及びその電子装置の様々な実施形態は、電子装置と接続された１つ又はそれ以上の他の電子装置の使用可否を決定し、指定された基準に従ってお知らせ情報を提供する１つ又はそれ以上の電子装置を決定できる。また、お知らせを提供する方法及びその電子装置の様々な実施形態は、１つ又はそれ以上の機能が動作中の電子装置でお知らせを提供すべきイベントが発生した場合、お知らせの出力有無又は出力したお知らせに対する確認有無などの情報を管理できる。
【００３５】
本発明は、特定の実施形態が図面に例示され、関連した詳細な説明が記載されているが、様々な変更を加えることができ、様々な実施形態を有し得る。したがって、本発明は、特定の実施形態に対して限定することを意図するものではなく、本発明の思想及び技術範囲に含まれる全ての変更、均等物又は代替物を含むことが理解されるべきである。図面の説明に関しては、類似の構成要素については類似の符号が用いられた。また、本発明の要旨を不明にする可能性のある公知機能及び構成に対する詳細な説明は省略される。下記の説明では本発明の様々な実施形態による動作を理解するために必要な部分のみが説明され、それ以外の部分の説明は本発明の要旨を不明にしないように省略されるということを留意すべきである。
【００３６】
本発明において用いられ得る「含む」、「含むことができる」などの表現は、発明された当該機能、動作、構成要素などの存在を示し、追加的な１つ以上の機能、動作、構成要素などを制限するものではない。また、本発明において、「含む」又は「有する」などの用語は、明細書上に記載された特徴、数字、ステップ、動作、構成要素、部品又はこれらを組み合わせたものが存在することを指定することを目的とするものであって、１つ又はそれ以上の他の特徴、数字、ステップ、動作、構成要素、部品又はこれらを組み合わせたものの存在又は付加の可能性を予め排除しないものであることが理解されるべきである。
【００３７】
本発明による電子装置は、通信機能が含まれた装置であり得る。例えば、電子装置は、スマートフォン（ｓｍａｒｔ  ｐｈｏｎｅ）、タブレットＰＣ（ｔａｂｌｅｔ  ｐｅｒｓｏｎａｌ  ｃｏｍｐｕｔｅｒ）、移動電話（ｍｏｂｉｌｅ  ｐｈｏｎｅ）、ビデオ電話機、電子ブックリーダー（ｅ−ｂｏｏｋ  ｒｅａｄｅｒ）、デスクトップＰＣ（ｄｅｓｋｔｏｐ  ｐｅｒｓｏｎａｌ  ｃｏｍｐｕｔｅｒ）、ラップトップＰＣ（ｌａｐｔｏｐ  ｐｅｒｓｏｎａｌ  ｃｏｍｐｕｔｅｒ）、ネットブックコンピュータ（ｎｅｔｂｏｏｋ  ｃｏｍｐｕｔｅｒ）、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、ＭＰ３プレーヤ、モバイル医療機器、カメラ（ｃａｍｅｒａ）、ウェアラブルデバイス（ｗｅａｒａｂｌｅ  ｄｅｖｉｃｅ）（例えば、電子メガネのようなｈｅａｄ−ｍｏｕｎｔｅｄ−ｄｅｖｉｃｅ（ＨＭＤ）、電子衣服、電子腕輪、電子ネックレス、電子アプセサリ（ａｐｐｃｅｓｓｏｒｙ）又はスマートウォッチ（ｓｍａｒｔ  ｗａｔｃｈ）のうち少なくとも１つを）含むことができる。
【００３８】
一実施形態によれば、電子装置は、通信機能を備えたスマート家電製品（ｓｍａｒｔ  ｈｏｍｅ  ａｐｐｌｉａｎｃｅ）であり得る。スマート家電製品は、例えば、テレビ、ＤＶＤ（ｄｉｇｉｔａｌ  ｖｉｄｅｏ  ｄｉｓｋ）プレーヤ、オーディオ、冷蔵庫、エアコン、掃除機、オーブン、電子レンジ、洗濯機、空気清浄器、セットトップボックス（ｓｅｔ−ｔｏｐ  ｂｏｘ）、ＴＶボックス（例えば、サムスン社製ＨｏｍｅＳｙｎｃＴＭ、アップル社製ＴＶＴＭ、又はグーグルＴＶＴＭ）、ゲームコンソール（ｇａｍｅ  ｃｏｎｓｏｌｅｓ）、電子辞書、電子キー、カムコーダ（ｃａｍｃｏｒｄｅｒ）、又はデジタルフォトフレームのうち少なくとも１つを含むことができる。、
【００３９】
一実施形態によれば、電子装置は、各種医療機器（例えば、ＭＲＡ（ｍａｇｎｅｔｉｃ ｒｅｓｏｎａｎｃｅ ａｎｇｉｏｇｒａｐｈｙ）、ＭＲＩ（ｍａｇｎｅｔｉｃ ｒｅｓｏｎａｎｃｅ ｉｍａｇｉｎｇ）、ＣＴ（ｃｏｍｐｕｔｅｄ ｔｏｍｏｇｒａｐｈｙ）、撮影機、超音波器等）、ナビゲーション（ｎａｖｉｇａｔｉｏｎ）装置、ＧＰＳ受信機（ｇｌｏｂａｌ  ｐｏｓｉｔｉｏｎｉｎｇ  ｓｙｓｔｅｍ  ｒｅｃｅｉｖｅｒ）、ＥＤＲ（ｅｖｅｎｔ  ｄａｔａ  ｒｅｃｏｒｄｅｒ）、ＦＤＲ（ｆｌｉｇｈｔ  ｄａｔａ  ｒｅｃｏｒｄｅｒ）、自動車インフォテインメント（ｉｎｆｏｔａｉｎｍｅｎｔ）装置、船舶用電子装備（例えば、船舶用航法装置及びジャイロコンパス等）、航空電子機器（ａｖｉｏｎｉｃｓ）、又は保安機器のうち少なくとも１つを含むことができる。
【００４０】
一実施形態によれば、電子装置は、通信機能を含む家具（ｆｕｒｎｉｔｕｒｅ）又は建物／構造物の一部、電子ボード（ｅｌｅｃｔｒｏｎｉｃ  ｂｏａｒｄ）、電子サイン入力装置（ｅｌｅｃｔｒｏｎｉｃ  ｓｉｇｎａｔｕｒｅ  ｒｅｃｅｉｖｉｎｇ  ｄｅｖｉｃｅ）、プロジェクタ（ｐｒｏｊｅｃｔｏｒ）、又は各種計測機器（例えば、水道、電気、ガス、又は電波等）のうち少なくとも１つを含むことができる。本発明による電子装置は、上記の様々な装置のうち１つ又はそれ以上の組み合わせであり得る。また、本発明による電子装置は、上記の機器に限定されないことは当業者にとって自明である。以下、添付された図面を参照して本発明の様々な実施形態による電子装置について述べる。本発明の様々な実施形態で用いられるユーザという用語は、電子装置を使用する人又は電子装置を使用する装置（例えば、人工知能を持つ電子装置）を含んで示すことができる。
【００４１】
図１は、本発明の様々な実施形態による電子装置１０１のブロック図１００を示す。
【００４２】
図１を参照すると、前記電子装置１０１は、お知らせ制御モジュール１２０、バス１１０、プロセッサ１６０、メモリ１３０、入出力インタフェース１４０、ディスプレイ１５０、及び通信インタフェース１７０を含むことができる。
【００４３】
前記お知らせ制御モジュール１２０は、電子装置１０１のメモリ１３０に保存されたデータベース又はそれぞれのアプリケーションのデータベースを参照することができる。前記お知らせ制御モジュール１２０は、電子装置１０１にお知らせを提供すべきイベントが発生したことを感知した場合、前記お知らせを電子装置１０１で出力するか、または電子装置１０１と接続された他の電子装置（例えば、電子装置１０２、又は電子装置１０４）で出力するかを決定できる。また、前記お知らせ制御モジュール１２０は、電子装置１０１又は他の電子装置を介して出力したお知らせに関連したお知らせ情報が前記電子装置１０１に対するユーザによって確認されたか否かに関する情報を獲得し、例えば、前記メモリ１３０に保存されたデータベース又はそれぞれのアプリケーションのデータベースをアップデートできる。前記お知らせ制御モジュール１２０は、前記お知らせ情報が確認された履歴がない場合、前記お知らせ情報に該当するお知らせを電子装置１０１又は他の電子装置を介して再出力するように処理できる。
【００４４】
前記バス１１０は、上記の構成要素を互いに接続し、上記の構成要素間の通信（例えば、制御メッセージ）を伝達する回路であり得る。
【００４５】
前記プロセッサ１６０は、例えば、前記バス１１０を介して上記の他の構成要素（例えば、前記メモリ１３０、前記入出力インタフェース１４０、前記ディスプレイ１５０、前記通信インタフェース１７０等）から命令を受信し、受信された命令を解読し、解読された命令による演算やデータ処理を実行できる。
【００４６】
前記メモリ１３０は、前記プロセッサ１６０又は他の構成要素（例えば、前記入出力インタフェース１４０、前記ディスプレイ１５０、前記通信インタフェース１７０等）から受信される、または前記プロセッサ１６０もしくは他の構成要素によって生成された命令もしくはデータを保存することができる。前記メモリ１３０は、例えば、カーネル１３１、ミドルウェア１３２、アプリケーションプログラミングインタフェース（ＡＰＩ：ａｐｐｌｉｃａｔｉｏｎ  ｐｒｏｇｒａｍｍｉｎｇ  ｉｎｔｅｒｆａｃｅ）１３３又はアプリケーション１３４などのプログラミングモジュールを含むことができる。上記のそれぞれのプログラミングモジュールは、ソフトウェア、ファームウェア、ハードウェア又はそれらのうち少なくとも２つ以上の組み合わせで構成されることができる。
【００４７】
前記カーネル１３１は、残りの他のプログラミングモジュール、例えば、前記ミドルウェア１３２、前記ＡＰＩ１３３又は前記アプリケーション１３４に具現された動作又は機能を実行するために使用されるシステムリソース（例えば、前記バス１１０、前記プロセッサ１６０又は前記メモリ１３０等）を制御又は管理できる。また、前記カーネル１３１は、前記ミドルウェア１３２、前記ＡＰＩ１３３又は前記アプリケーション１３４で前記電子装置１０１の個別構成要素に接近して制御又は管理できるインタフェースを提供できる。
【００４８】
前記ミドルウェア１３２は、前記ＡＰＩ１３３又は前記アプリケーション１３４が前記カーネル１３１と通信してデータを授受できるように仲介する役割を担うことができる。また、前記ミドルウェア１３２は、前記（複数の）アプリケーション１３４から受信された作業要求に関連して、例えば、前記（複数の）アプリケーション１３４のうち少なくとも１つのアプリケーションに前記電子装置１０１のシステムリソース（例えば、前記バス１１０、前記プロセッサ１６０又は前記メモリ１３０等）を使用できる優先順位を配分する等の方法を用いて作業要求に対するロードバランシングを行うことができる。
【００４９】
前記ＡＰＩ１３３は、前記アプリケーション１３４が前記カーネル１３１又は前記ミドルウェア１３２で提供する機能を制御できるインタフェースであって、例えば、ファイル制御、ウィンドウ制御、画像処理又は文字制御などのための少なくとも１つのインタフェース又は関数を含むことができる。
【００５０】
前記入出力インタフェース１４０は、例えば、ユーザから命令又はデータを入力されて前記バス１１０を介して前記プロセッサ１６０又は前記メモリ１３０に伝達できる。前記ディスプレイ１５０は、ユーザに画像、映像又はデータなどを表示できる。
【００５１】
前記通信インタフェース１７０は、前記電子装置１０１と他の電子装置１０２、又は電子装置１０４もしくはサーバ１６４との間の通信を接続できる。前記通信インタフェース１７０は、所定の近距離通信プロトコル（例えば、Ｗｉｆｉ（ｗｉｒｅｌｅｓｓ  ｆｉｄｅｌｉｔｙ）、ＢＴ（Ｂｌｕｅｔｏｏｔｈ（登録商標））、ＮＦＣ（ｎｅａｒ  ｆｉｅｌｄ  ｃｏｍｍｕｎｉｃａｔｉｏｎ）又は所定のネットワーク通信（例えば、Ｉｎｔｅｒｎｅｔ、ＬＡＮ（ｌｏｃａｌ  ａｒｅａ  ｎｅｔｗｏｒｋ）、ＷＡＮ（ｗｉｒｅ  ａｒｅａ  ｎｅｔｗｏｒｋ）、通信ネットワーク（ｔｅｌｅｃｏｍｍｕｎｉｃａｔｉｏｎ  ｎｅｔｗｏｒｋ）、セルラーネットワーク（ｃｅｌｌｕｌａｒ  ｎｅｔｗｏｒｋ）、衛星ネットワーク（ｓａｔｅｌｌｉｔｅ  ｎｅｔｗｏｒｋ）又はＰＯＴＳ（ｐｌａｉｎ  ｏｌｄ  ｔｅｌｅｐｈｏｎｅ  ｓｅｒｖｉｃｅ）等）１６２をサポートできる。前記電子装置１０２，１０４のそれぞれは、前記電子装置１０１と同じ（例えば、同じタイプの）装置又は異なる（例えば、異なるタイプの）装置であり得る。
【００５２】
電子装置１０１は、ネットワーク通信を介して他の電子装置１０２と接続できる。以下、本発明の様々な実施形態を説明するにあたって、他の電子装置１０２、又は第２電子装置１０２（例えば、電子装置１０１を第１電子装置１０１と表示した場合）のように、電子装置１０１と接続される他の電子装置を図１に示した電子装置１０２で代表して説明する場合がある。図１において、電子装置１０２と電子装置１０４の区分は電子装置１０１と接続される方法を説明するためであり、近距離無線通信（図示せず）又はネットワーク１６２のような通信方法を区分する場合ではない限り、電子装置１０２又は電子装置１０４は、電子装置１０１と接続された他の電子装置で説明できる。したがって、特に説明されない限り、本発明の様々な実施形態で言及する電子装置１０２と行う実施形態は、ネットワーク１６２を介して接続される電子装置１０４にも適用できることは自明である。図１に示したサーバ１６４も同じの方式で適用できる。
【００５３】
図２は、本発明の様々な実施形態による電子装置１０１に対するお知らせ制御モジュール１２０を示す図である。
【００５４】
図２を参照すると、お知らせ制御モジュール１２０は、例えば、決定モジュール２１０、確認モジュール２２０、獲得モジュール２３０、提供モジュール２４０のうち１つ又はそれ以上のモジュールを含むことができる。
【００５５】
以下、それぞれのモジュールの様々な実施形態を例に挙げて説明する。
【００５６】
決定モジュール２１０は、ユーザに提供すべきお知らせ情報を決定できる。一実施形態によれば、決定モジュール２１０は、電子装置１０１で獲得したイベントのうち一部のイベントに関するお知らせ情報をユーザに提供すべきお知らせ情報として決定できる。例えば、電子装置１０１は、少なくとも１つ以上のイベントに関連したお知らせ情報をユーザが確認したか否かを判断できる。ユーザが確認しなかったイベントに関連したお知らせ情報を提供すべきお知らせ情報として決定できる。イベントは、例えば、電話受信イベント、メッセージ受信イベント、アラームイベント又はＳＮＳ（ｓｏｃｉａｌ  ｎｅｔｗｏｒｋ  ｓｅｒｖｉｃｅ）イベントなどを含むことができる。
【００５７】
一実施形態によれば、決定モジュール２１０は、電子装置１０１で受信されたイベント（例えば、データ）に対するお知らせを入出力インタフェース１４０又はディスプレイ１５０を介して出力するか否かを決定できる。電子装置１０１は、決定モジュール２１０を介して提供すべきお知らせ情報を決定した場合、確認モジュール２２０を介して電子装置１０１と接続可能な１つ又はそれ以上の他の電子装置（例えば、電子装置１０２、電子装置１０４）を感知できる。
【００５８】
一実施形態によれば、確認モジュール２２０は、電子装置１０１と少なくとも一度接続された履歴を持つ他の電子装置に関する情報を獲得することができ、他の方法では、電子装置１０１の通信インタフェース１７０を介して通信を接続できる１つ又はそれ以上の他の電子装置を検索できる。
【００５９】
獲得モジュール２３０は、電子装置１０１又は電子装置１０１と通信する少なくとも１つの他の電子装置（例えば、電子装置１０２、電子装置１０４、サーバ１６４）のうち少なくとも１つに関連した状態情報を獲得できる。一実施形態によれば、状態情報は、電子装置１０１又は他の電子装置のそれぞれをユーザが使用中であるか否かを判断する情報を含むことができる。例えば、獲得モジュール２３０は、電子装置１０１又は他の電子装置が活性化（ｅｎａｂｌｉｎｇ）状態であるか又は非活性化（ｄｉｓａｂｌｉｎｇ）状態であるかに関する情報を獲得できる。一実施形態によれば、電子装置１０１が活性化状態である場合、ユーザが電子装置１０１を使用していると判断できる。例えば、電子装置１０１又は他の電子装置のそれぞれと機能的に接続されたディスプレイの動作状態を介して電子装置１０１又は他の電子装置のそれぞれが活性化状態であるか又は非活性化状態であるかを判断できる。例えば、電子装置１０１と機能的に接続されたディスプレイがオンである場合、電子装置１０１が活性化状態であると判断できる。別の例として、電子装置１０１又は他の電子装置の状態情報は、ユーザに関する状態情報を含むことができる。ユーザに関する状態情報は、例えば、電子装置１０１又は他の電子装置と機能的に接続されたタッチセンサ、グリップセンサ、モーションセンサ（例えば、加速度センサ、ジャイロセンサ）、イメージセンサ、近接感知センサ、マイク、生体感知センサ（指紋感知センサ、静脈感知センサ、温度センサ）、及びイメージセンサ（例えば、視線認識センサ）のようなセンサのうち少なくとも１つのセンサを介して感知した情報を含むことができる。さらに、獲得モジュール２３０は、電子装置１０１と接続された少なくとも１つの他の電子装置との通信状態又は他の電子装置１０２と接続可能な少なくとも１つの通信方式に関する情報を電子装置１０１又は他の電子装置に関する状態情報として獲得できる。
【００６０】
例えば、電子装置１０１と機能的に接続されたモーションセンサで電子装置１０１の動きが感知された場合、ユーザが電子装置１０１を使用していると判断できる。別の例として、電子装置１０１と機能的に接続されたタッチセンサでユーザ入力が感知された場合、ユーザが電子装置１０１を使用していると判断できる。さらに別の例として、電子装置１０１と機能的に接続された視線認識が可能なイメージセンサを介してユーザの視線を感知できる。電子装置１０１でユーザの視線が感知された場合、ユーザが電子装置１０１を使用していると判断できる。さらに別の例として、電子装置１０１が着用可能な装置（ｗｅａｒａｂｌｅ  ｄｅｖｉｃｅ）で、電子装置１０１と機能的に接続されたグリップセンサ、近接感知センサなどを介して電子装置１０１をユーザが着用したことを感知した場合、ユーザが電子装置１０１を使用していると判断できる。
【００６１】
一実施形態によれば、状態情報は、電子装置１０１又は他の電子装置で実行するアプリケーションの属性情報を含むことができる。例えば、アプリケーションの属性情報は、アプリケーションの実行中にお知らせ情報を提供するか否かに関する情報を含むことができる。一実施形態によれば、状態情報は、電子装置１０１又は他の電子装置の電源状態情報又は処理量（ｌｏａｄ）情報を含むことができる。
【００６２】
一実施形態によれば、状態情報は、お知らせ情報の属性情報を含むことができる。例えば、お知らせ情報の属性情報は、お知らせ情報に対する優先順位情報を含むことができる。例えば、お知らせ情報の属性情報は、イベントが発生し前記イベントに関連したお知らせ情報を提供するためにかかる時間情報を含むことができる。例えば、電話イベントに関連したお知らせ情報の属性情報は、リアルタイムで提供されるべきイベントに指定されることができる。一実施形態によれば、状態情報は、指定された情報を含むことができる。例えば、指定された時間又は指定された位置に応じて、お知らせ情報を提供する電子装置を指定できる。例えば、勤務時間には電子装置と接続された他の電子装置を介してお知らせ情報を提供され、勤務時間以外には電子装置を介してお知らせ情報を提供されるように設定できる。別の例として、車両内では電子装置と接続された他の電子装置を介してお知らせ情報を提供され、家では電子装置を介してお知らせ情報を提供されるように設定できる。一実施形態によれば、状態情報は、電子装置１０１と他の電子装置との間の距離情報又は通信情報を含むことができる。
【００６３】
一実施形態によれば、獲得モジュール２３０は、上記の状態情報のうち少なくとも１つの情報又はこれらの組み合わせを獲得できる。
【００６４】
提供モジュール２４０は、一実施形態によれば、獲得モジュールを２３０を介して獲得した状態情報に基づいて、電子装置１０１又は電子装置１０１と通信する他の電子装置のうち電子装置１０１で発生したイベントに関連したお知らせ情報を提供する少なくとも１つの装置を決定できる。決定した結果に基づいて、提供モジュール２４０はお知らせ情報を電子装置１０１又は他の電子装置を介して提供するように制御できる。例えば、獲得モジュール２３０で獲得した状態情報に基づいて、ユーザが電子装置１０１を使用していると判断された場合、提供モジュール２４０は、電子装置１０１を介してお知らせ情報を提供できる。ユーザが電子装置１０１を使用していないと判断された場合、提供モジュール２４０は、電子装置１０１と接続された他の電子装置でお知らせ情報を提供するようにお知らせ情報を他の電子装置に送信できる。
【００６５】
電子装置１０１で獲得した状態情報がアプリケーションの属性情報である場合を例に挙げると、獲得モジュール２３０で獲得した状態情報に基づいて、電子装置１０１で実行するアプリケーションが提供すべきお知らせ情報より優先順位が低いと判断された場合、提供モジュール２４０は、電子装置１０１を介してお知らせ情報を提供できる。また、電子装置１０１で実行するアプリケーションが提供すべきお知らせ情報より優先順位が高いと判断された場合、提供モジュール２４０は、電子装置１０１と接続された他の電子装置でお知らせ情報を提供するようにお知らせ情報を他の電子装置に送信できる。
【００６６】
電子装置１０１で獲得した状態情報が電子装置１０１の処理量情報である場合を例に挙げると、電子装置１０１の処理量が指定された基準（例えば、処理可能な総処理量の９０%）より低い場合、提供モジュール２４０は、電子装置１０１を介してお知らせ情報を提供できる。また、電子装置１０１の処理量が指定された基準より高い場合、提供モジュール２４０は、電子装置１０１と接続された他の電子装置でお知らせ情報を提供するようにお知らせ情報を他の電子装置に送信できる。電子装置１０１で獲得した状態情報が電子装置１０１の電力情報である場合を例に挙げると、電子装置１０１のバッテリ残量が指定された基準（例えば、バッテリ総容量の１０%又は１５０ｍＡｈ）より高い場合、提供モジュール２４０は、電子装置１０１を介してお知らせ情報を提供できる。また、電子装置１０１のバッテリ残量が指定された基準より低い場合、提供モジュール２４０は、電子装置１０１と接続された他の電子装置でお知らせ情報を提供するようにお知らせ情報を他の電子装置に送信できる。
【００６７】
例えば、電子装置１０１で獲得した状態情報がお知らせ情報の属性情報に基づいて、お知らせ情報（例えば、受信電話お知らせ情報）がリアルタイムで提供されなければならない場合、提供モジュール２４０は、電子装置１０１又は電子装置１０１と接続された他の電子装置のうちユーザが使用している装置を介してお知らせ情報を提供するように制御できる。お知らせ情報の属性情報に基づいてお知らせ情報（例えば、天気お知らせ情報）をリアルタイムで提供しなくても良い場合、提供モジュール２４０は、電子装置１０１又は他の電子装置のうち処理量の少ない、またはバッテリ容量の多い装置を介してお知らせ情報を提供するように制御できる。一実施形態によれば、電子装置１０１に関連した様々な情報に対する指定された基準は、ユーザの設定、設計者の設定又は電子装置１０１に対する製品情報に応じて様々に変更され得る。
【００６８】
一実施形態によれば、提供モジュール２４０でお知らせ情報を少なくとも１つの他の電子装置に送信するように決定した場合、追加的（ａｄｄｉｔｉｏｎａｌｌｙ）又は代案的に（ｉｎ  ａｌｔｅｒｎａｔｉｖｅ  ｔｏ）、電子装置１０１は、電子装置１０１と接続された１つ又はそれ以上の他の電子装置のそれぞれから状態情報を受信することができ、受信した状態情報を用いて、１つ又はそれ以上の他の電子装置のうちディスプレイ（例えば、タッチスクリーン）がオン（ＯＮ）状態及び／又はロック解除（ｕｎｌｏｃｋ）されている状態の装置（例えば、電子装置１０２）を決定することができ、決定された装置に発生したお知らせを送信できる。
【００６９】
図３Ａ及び図３Ｂは、本発明の様々な実施形態による電子装置におけるお知らせ情報の出力を制御する動作を示す。
【００７０】
以下、本発明の様々な実施形態を図３Ａを参照して説明する。
【００７１】
図３Ａを参照すると、例えば、電子装置１０１を第１電子装置３０１、電子装置１０２を第２電子装置３０２として説明できる。図３Ａを説明する一実施形態によれば、第１電子装置３０１は、スマートフォンとして説明することができ、第２電子装置３０２は、着用可能なスマートウォッチとして説明することができる。勿論、第１電子装置３０１及び第２電子装置３０２は、スマートフォン又は着用可能なウォッチに限定するものではなく、本発明の様々な実施形態を適用可能な様々な形態の電子装置であり得る。
【００７２】
第１電子装置３０１は、お知らせを提供すべきイベントが発生したことを確認することができ、お知らせ情報を出力できる。第１電子装置３０１は、発生したお知らせ情報を出力する方法において、お知らせの発生を感知した第１電子装置３０１で出力する、または第１電子装置３０１と接続された第２電子装置３０２で出力するように制御できる。
【００７３】
一実施形態によれば、第１電子装置３０１は、お知らせを提供すべきイベントを感知できる。お知らせを提供すべきイベントとしては、第１電子装置３０１が受信した電話接続情報（ｃａｌｌｉｎｇ）、テキスト（ショート）メッセージ（ｓｍｓ）情報、不在着信（ｍｉｓｓｅｄ  ｃａｌｌ）情報、お知らせ機能のお知らせ（ａｌａｒｍ）情報などを含むことができる。
【００７４】
第１電子装置３０１は、お知らせを提供すべきイベントを感知した時点で第１電子装置３０１が非活性化状態（例えば、スリープモード（ｓｌｅｅｐ  ｍｏｄｅ））である場合、第１電子装置３０１で発生したお知らせ情報を第１電子装置３０１と接続された他の電子装置（例えば、第２電子装置３０２）で出力するように送信できる。第１電子装置３０１は、発生したお知らせ情報を他の電子装置（例えば、第２電子装置３０２）に送信するために、例えば、第１電子装置３０１と接続された１つ又はそれ以上の他の電子装置を確認することができる。一実施形態によれば、第１電子装置３０１は、発生したお知らせ情報を他の電子装置（例えば、第２電子装置３０２）に送信するために近距離無線通信又はネットワーク１６２通信で少なくとも一度以上接続した履歴がある１つ又はそれ以上の他の電子装置を確認することができる。一実施形態によれば、第１電子装置３０１は、発生したお知らせ情報を他の電子装置（例えば、第２電子装置３０２）に送信するために近距離無線通信又はネットワーク１６２通信で接続可能な１つ又はそれ以上の他の電子装置を確認することができる。第１電子装置３０１は、確認した１つ又はそれ以上の他の電子装置と接続できる。例えば、確認した１つ又はそれ以上の他の電子装置に第２電子装置が含まれた場合、接続された第２電子装置３０２に関連した状態情報を受信することができる。第２電子装置３０２に関連した状態情報は、第２電子装置３０２をユーザが使用中であるか否かに関する情報（例えば、第２電子装置３０２の活性化情報）、第２電子装置３０２で遂行中のアプリケーションの属性情報、第２電子装置３０２のバッテリ残量情報（例えば、電力情報）又は処理量情報、第２電子装置３０２と電子装置との間の通信情報又は距離情報、第２電子装置３０２に対するユーザの状態情報（例えば、第２電子装置３０２と機能的に接続されたセンサで獲得した１つ又はそれ以上のセンサ情報）のうち少なくとも１つに関する情報を含むことができる。
【００７５】
第１電子装置３０１は、受信した第２電子装置３０２の状態情報又は状態情報が含む構成要素に指定された重要度に応じて指定された優先順位に基づいて、お知らせを出力する少なくとも１つの装置を決定できる。一実施形態によれば、第１電子装置３０１は、少なくとも１つのプロセッサを含むことができる。第１電子装置３０１が複数のプロセッサを含む場合、複数のプロセッサはアプリケーションプロセッサ（Ａｐｐｌｉｃａｔｉｏｎ  Ｐｒｏｃｅｓｓｏｒ、ＡＰ）又はコミュニケーションプロセッサ（Ｃｏｍｍｕｎｉｃａｔｉｏｎ  Ｐｒｏｃｅｓｓｏｒ、ＣＰ）を含むことができる。ＡＰ又はＣＰは、それぞれのプロセッサとして独立して構成されることができ、１つのプロセッサに含まれて構成されることもできる。ＡＰは、第１電子装置３０１のアプリケーション又は第１電子装置３０１を構成する１つもしくはそれ以上の部分装置（又はモジュール）の動作を制御するプロセッサであることができ、ＣＰは、近距離無線通信又はネットワーク１６２通信を介して第２電子装置３０２と情報を送受信するプロセッサであることができる。第１電子装置３０１は、ＣＰを介して外部装置（例えば、サーバ１６４）から受信したお知らせを提供すべきイベントに関する情報を感知した場合、お知らせを出力する動作を制御するＡＰの動作状態を確認することができる。第１電子装置３０１は、ＡＰが非活性状態（例えば、スリープモード（ｓｌｅｅｐ  ｍｏｄｅ））であると決定された場合、お知らせ情報を第１電子装置３０１で出力せず、第１電子装置３０１と接続された１つ又はそれ以上の他の電子装置（例えば、第２電子装置３０２）を介して出力するように制御できる。ここで、スリープモードの一実施形態は、装置で消耗する電流量又は電力量が指定された数値以下（例えば、２０ｍＷ以下）で同じレベルの電流消耗量又は電力消耗量が維持される場合であると定めることができる。この場合、第１電子装置３０１は、例えば、ＡＰの動作を制御せず、ＣＰを介してアラーム情報を１つ又はそれ以上の他の電子装置で出力できるようにお知らせ情報を１つ又はそれ以上の他の電子装置に送信できる。一実施形態によれば、第１電子装置３０１は、お知らせを提供すべきイベントを感知することができ、第１電子装置３０１の状態情報又はデータベースに保存された情報に応じて最も高い順位に指定された他の電子装置（例えば、第２電子装置３０２）の接続状態を確認することができる。第１電子装置３０１は、第２電子装置３０２が接続されたことを確認することができ、お知らせ情報を第２電子装置３０２に送信できる。
【００７６】
本発明の様々な実施形態によれば、第１電子装置３０１は、第２電子装置３０２の動作を制御できる権限を有し得る。この場合、第１電子装置３０１は、第２電子装置３０２で第１電子装置３０１のお知らせを出力するように制御する命令を含むお知らせ情報を第２電子装置３０２に送信できる。第２電子装置３０２は、第１電子装置３０１からお知らせ情報を受信することができ、お知らせ情報に応じてお知らせを出力できる。一実施形態によれば、第１電子装置３０１は‘Ｊｏｓｅｐｈ’から電話接続（ｃａｌｌｉｎｇ）要求を受信することができる。第１電子装置３０１は、状態情報又はデータベースを参照して電話接続要求を受信した時点で第１電子装置３０１のＡＰが非活性状態である場合、‘Ｊｏｓｅｐｈ’から受信した電話接続要求情報を出力できる第２電子装置３０２を含む他の電子装置のうち受信した電話接続情報を出力するための１つ又はそれ以上の装置を決定できる。例えば、第１電子装置３０１は、お知らせ情報を出力することに決定した第２電子装置３０２に‘Ｊｏｓｅｐｈ’から受信した電話接続要求情報を送信できる。第２電子装置３０２は、受信した情報に応じて電話接続要求情報（図３Ａの（ａ））を出力することができ、第２電子装置で通話接続アイコンを選択した場合、第２電子装置に対するユーザは‘Ｊｏｓｅｐｈ’と電話接続できる。
【００７７】
一実施形態によれば、第１電子装置３０１は、‘Ｊｏｓｅｐｈ’からテキスト（ショート）メッセージを受信することができる。第１電子装置３０１は、状態情報又はデータベースを参照してテキストメッセージを受信した時点で第１電子装置３０１のＡＰが非活性状態である場合、‘Ｊｏｓｅｐｈ’から受信したテキストメッセージ情報を出力できる第２電子装置３０２を含む他の電子装置のうちメッセージ情報を出力するための１つ又はそれ以上の装置を決定できる。第１電子装置３０１は、お知らせ情報を出力することに決定した第２電子装置３０２に‘Ｊｏｓｅｐｈ’から受信したテキストメッセージ情報を送信できる。第２電子装置３０２は、受信した情報に応じてテキストメッセージ情報（図３Ａの（ｂ））を出力することができ、指定された動作（例えば、第２電子装置３０２のディスプレイ１５０に出力されたメッセージ確認アイコンを選択）を介して第２電子装置に対するユーザは、第２電子装置３０２でテキストメッセージを確認することができる。
【００７８】
一実施形態によれば、第１電子装置３０１は、‘Ｊｏｓｅｐｈ’から受信した電話接続による不在着信（ｍｉｓｓｅｄ  ｃａｌｌ）情報を感知できる。第１電子装置３０１は、状態情報又はデータベースを参照して不在着信情報を感知した時点で第１電子装置３０１のＡＰが非活性状態である場合、‘Ｊｏｓｅｐｈ’から受信した不在着信情報を出力できる第２電子装置３０２を含む他の電子装置のうち不在着信情報を提供するための１つ又はそれ以上の装置を決定できる。第１電子装置３０１は、お知らせ情報を出力することに決定した第２電子装置３０２に‘Ｊｏｓｅｐｈ’から受信した不在着信情報を送信できる。第２電子装置３０２は、受信した情報に応じて不在着信情報（図３Ａの（ｃ））を出力することができ、指定された動作（例えば、第２電子装置３０２のディスプレイ１５０に出力された電話接続要求アイコンを選択）を介して第２電子装置３０２で第１電子装置３０１の通信インタフェース１７０を介して‘Ｊｏｓｅｐｈ’の電子装置に電話接続を要求できる。本発明の様々な実施形態によれば、第１電子装置３０１は、第２電子装置３０２で出力するように制御するお知らせを提供すべきイベントに対して図３Ａに説明した実施形態に限定することなく、同じ又は類似の方法の様々な実施形態を適用できる。
【００７９】
以下、本発明の様々な実施形態を図３Ｂを参照して説明する。
【００８０】
図３Ｂを参照すると、例えば、電子装置１０１を第１電子装置３１１、電子装置１０２を第２電子装置３１２、電子装置１０４又は電子装置１０２と同じ又は類似の電子装置を第３電子装置３１４として説明できる。以下、本発明の実施形態を説明するにあたって、第２電子装置３１２を電子装置１０４に、第３電子装置３１４を電子装置１０２と同じ又は類似の電子装置に適用できることは自明である。図３Ｂを説明する一実施形態によれば、例えば、第１電子装置３１１は、スマートフォンとして説明することができ、第２電子装置３１２は、スマートテレビジョン（ＴＶ）として説明することができ、第３電子装置３１４は、着用可能な（ｗｅａｒａｂｌｅ）スマートウォッチとして説明することができる。第１電子装置３１１は、お知らせを提供すべきイベントが発生したことを確認することができ、お知らせ情報を出力できる。第１電子装置３１１は、発生したお知らせ情報を出力する方法において、お知らせの発生を感知した第１電子装置で出力することができ、第１電子装置３１１と接続された第２電子装置３１２で出力することもできる。
【００８１】
一実施形態によれば、第１電子装置３１１は、お知らせを提供すべきイベントを感知できる。第１電子装置３１１は、お知らせを提供すべきイベントを感知した場合、第１電子装置３１１又は第１電子装置と機能的に接続されたＡＰが非活性化状態であるかを確認することができる。一実施形態によれば、第１電子装置３１１又は前記ＡＰの非活性化状態は、例えば、第１電子装置３１１のディスプレイ１５０がオフ（ｏｆｆ）にされた状態又はＡＰがスリープモードの状態であり得る。第１電子装置３１１（例えば、提供モジュール２４０）は、第１電子装置３１１が非活性化状態である場合、第１電子装置３１１で発生したお知らせ情報を他の電子装置（例えば、第１電子装置３１１と接続された第２電子装置３１２又は第３電子装置３１４）で出力するように決定できる。第１電子装置３１１は、発生したお知らせ情報を送信するために第１電子装置３１１と、例えば、通信インタフェース１７０で接続された、他の電子装置を確認することができる。さらに、第１電子装置３１１は、発生したお知らせ情報を送信するために通信インタフェース１７０で少なくとも一度以上接続した履歴がある１つ又はそれ以上の他の電子装置を確認することができる。さらに、第１電子装置３１１は、発生したお知らせ情報を送信するために通信インタフェース１７０を介して接続可能な他の電子装置を確認することができる。
【００８２】
第１電子装置３１１は、確認した１つ又はそれ以上の他の電子装置と接続することができ、例えば、１つ又はそれ以上の他の電子装置に第２電子装置３１２及び第３電子装置３１４が含まれた場合は、接続された第２電子装置３１２及び第３電子装置３１４を含む他の電子装置の状態情報を受信することができる。第２電子装置３１２又は第３電子装置３１４の状態情報は、第２電子装置３１２又は第３電子装置３１４をユーザが使用中であるか否かに関する情報（例えば、第２電子装置３１２又は第３電子装置３１４の活性化情報）、遂行（又は実行）している動作（例えば、アプリケーション）に関する情報、遂行（又は実行）している動作（例えば、アプリケーション）の重要度情報、バッテリ残量情報（又は電力情報）、第２電子装置３１２又は第３電子装置３１４と外部電子装置（例えば、第１電子装置）との間の通信状態情報、第２電子装置３１２又は第３電子装置３１４に対するユーザ情報（例えば、第２電子装置３１２又は第３電子装置３１４が獲得した１つ又はそれ以上のセンシング情報のうち少なくとも１つに関する情報）を含むことができる。一実施形態によれば、センシング情報は、第２電子装置３１２又は第３電子装置３１４に含まれた１つ又はそれ以上のセンサを介して得られたそれぞれの電子装置の状態に関する情報であり得る。第１電子装置３１１は、受信した第２電子装置３１２又は第３電子装置３１４の状態情報に含まれた構成要素に指定された重要度に応じて優先順位を定めることができ、状態情報及び指定された優先順位を参照してお知らせを出力する１つ又はそれ以上の他の電子装置を決定できる。
【００８３】
一実施形態によれば、第１電子装置３１１は、通信インタフェース１７０で接続された第２電子装置３１２又は第３電子装置３１４の接続方式を確認することができ、接続された通信方式に対する信号情報を決定できる。一実施形態によれば、第１電子装置３１１は、第２電子装置３１２又は第３電子装置３１４と情報を送受信する通信方式の信号情報を介して通信環境を決定することができ、通信方式の安全性又は接続された通信方式の情報送受信速度又は通信信号強度による送受信可能距離のような要素の指定された優先順位を参照してお知らせを送信する他の電子装置を決定できる。第１電子装置３１１は、指定された条件に応じて第２電子装置３１２より接続された通信方式の情報送受信速度が高い第３電子装置３１４をお知らせを送信する他の電子装置として決定することができ、第１電子装置３１１で発生したお知らせに関する出力情報を第３電子装置３１４に送信できる。第３電子装置３１４は、受信した情報に応じて第１電子装置３１１で発生したお知らせに関する情報を出力できる。
【００８４】
一実施形態によれば、第１電子装置３１１は、お知らせを送信する他の電子装置を決定するにあたって、少なくとも１つの他の電子装置で実行しているアプリケーションのリアルタイム依存度が低い電子装置をお知らせを送信する装置として決定できる。例えば、第１電子装置３１１は、動画撮影アプリケーション、又はゲームアプリケーションのように中断することなく実行しなければならないアプリケーションをリアルタイム依存度が高いと判断できる。別の例として、第１電子装置３１１は、インターネットのように中断して実行しても良いアプリケーションはリアルタイム依存度が低いと判断できる。一実施形態によれば、第１電子装置３１１は、第２電子装置３１２、第３電子装置３１４を含む他の電子装置が遂行中のアプリケーションのリアルタイム依存度を確認することができる。リアルタイム依存度は、例えば、あるアプリケーションを実行している電子装置にお知らせ情報を出力する場合、アプリケーションを実行することに及ぼし得る被害（例えば、データ損失）を数値化した情報であり得る。一実施形態によれば、第１電子装置３１１は、リアルタイム依存度数値をお知らせを提供する電子装置を決定するための情報として使用することができる。一実施形態によれば、第１電子装置３１１は、第２電子装置３１２又は第３電子装置３１４から受信した状態情報を介して第２電子装置３１２又は第３電子装置３１４が含む少なくとも１つのアプリケーションに関する情報（例えば、アプリケーションのリアルタイム依存度情報）をデータベースに保存することができ、データベースは、それぞれの電子装置に保存されたアプリケーションの優先順位（例えば、リアルタイム依存度に基づいて決定した優先順位）に関する情報を確認することができる。一実施形態によれば、第１電子装置３１１は、第２電子装置３１２で遂行中のメディアデータ再生動作に関するリアルタイム依存度情報と第３電子装置３１４で遂行中のメディアデータレコーティング動作のリアルタイム依存度情報とを比較することができ、リアルタイム依存度が低いアプリケーションを実行している第２電子装置３１２でお知らせ情報を出力するように決定できる。第１電子装置３１１は、発生したお知らせ情報に関する出力情報を第２電子装置３１２に送信できる。第２電子装置３１２は、受信した情報に応じて第１電子装置３１１で発生したお知らせ情報を出力できる。
【００８５】
図４Ａ乃至図４Ｃは、本発明の様々な実施形態による電子装置におけるお知らせ情報の出力を制御する動作を示す。
【００８６】
図４Ａ乃至図４Ｃを参照すると、例えば、電子装置１０１を第１電子装置４０１、電子装置１０２を第２電子装置４０２として説明できる。一実施形態によれば、第１電子装置４０１は、スマートフォンとして説明することができ、第２電子装置４０２は、着用可能なスマートウォッチとして説明することができる。
【００８７】
以下、本発明の様々な実施形態を図４Ａを参照して説明する。
【００８８】
図４Ａを参照すると、第１電子装置４０１は、１つ又はそれ以上のアプリケーションの実行中にお知らせを提供すべきイベントが発生したことを感知できる。第１電子装置４０１は、実行している１つ又はそれ以上のアプリケーションの属性情報（例えば、リアルタイム依存度情報）を参照してお知らせ情報を出力するか否かを決定できる。第１電子装置４０１でお知らせ情報を出力しないことに決定された場合、お知らせ情報を出力する第２電子装置４０２を決定することができ、決定した第２電子装置４０２に感知したお知らせ情報の出力情報を送信できる。
【００８９】
第１電子装置４０１は、お知らせを提供すべきイベントを感知した場合、第１電子装置４０１でお知らせ情報を出力するか否かを決定できる。一実施形態によれば、電子装置はお知らせ情報を提供すべきイベントを感知した場合、第１電子装置４０１の状態情報を獲得できる。第１電子装置４０１は、お知らせを提供すべきイベントを感知した時点で１つ又はそれ以上のアプリケーションを遂行中の場合、遂行中の１つ又はそれ以上のアプリケーションがお知らせを表示するように指定されたアプリケーションであるかを決定できる。一実施形態によれば、第１電子装置４０１にはメディアデータをレコーティングする間に‘Ｊｏｓｅｐｈ’からの電話接続要求を受信することができる。第１電子装置４０１は、例えば、動作中のメディアデータレコーティングアプリケーションのデータベース又は第１電子装置４０１で発生するお知らせを提供すべきイベントを処理するためのデータベースを参照し、メディアデータのレコーティング中に電話接続要求イベントが発生した場合、電話接続要求に対するお知らせを第１電子装置４０１で出力するように設定されているか否かを決定できる。第１電子装置４０１は、メディアデータのレコーティング中に発生した電話接続要求イベントに対するお知らせを表示しないように設定された場合、発生した電話接続要求に関する情報を他の電子装置で出力するように制御できる。第１電子装置４０１は、通信インタフェース１７０を介して接続可能な１つ又はそれ以上の他の電子装置を確認することができる。第１電子装置４０１は、接続された１つ又はそれ以上の他の電子装置から状態情報を受信することができ、状態情報を参照してお知らせ情報を送信する少なくとも１つの他の電子装置を選択できる。一実施形態によれば、第１電子装置４０１は、データベースに、着用中であって最大節電モード又はスリープモード（例えば、非活性化状態）ではない装置がお知らせを提供するための装置として決定される優先順位が高く指定されている場合がある。第１電子装置４０１は、第２電子装置４０２から受信した状態情報を介して第２電子装置４０２が着用中であって、スリープモード状態ではないことを確認した場合、データベース情報に基づいて、第１電子装置４０１は、‘Ｊｏｓｅｐｈ’から受信した電話接続要求に関するお知らせ情報を第２電子装置４０２に送信することができ、第２電子装置４０２は、受信した情報に応じてお知らせを出力できる。
【００９０】
別の実施形態によれば、第１電子装置４０１は、ナビゲーション（Ｎａｖｉｇａｔｉｏｎ）アプリケーションの動作中にアラーム（ａｌａｒｍ）イベントの出力を感知できる。第１電子装置４０１は、動作中のナビゲーションアプリケーションのデータベース又は第１電子装置４０１で発生するお知らせを提供すべきイベントを処理するためのデータベースを参照し、ナビゲーションアプリケーションの動作中にアラームイベントの出力に対するお知らせを第１電子装置４０１で出力するように設定されているか否かを決定できる。第１電子装置４０１は、ナビゲーションアプリケーションの動作中に発生したアラームイベントの出力に対するお知らせを表示しないように設定された場合、発生したアラームイベントに関する情報を他の電子装置で出力するように制御できる。第１電子装置４０１は、通信インタフェース１７０を介して接続可能な１つ又はそれ以上の他の電子装置を確認することができる。第１電子装置４０１は、接続された１つ又はそれ以上の他の電子装置から状態情報を受信することができ、状態情報を参照してお知らせ情報を送信する少なくとも１つの他の電子装置を選択できる。一実施形態によれば、第１電子装置４０１の、データベースに、着用中であって最大節電モード又はスリープモードのような状態ではない電子装置がお知らせを提供する電子装置として決定される優先順位が高く指定されている場合がある。第１電子装置４０１は、第２電子装置４０２から受信した状態情報を介して第２電子装置４０２が着用中であって、スリープモード状態ではないことを確認した場合、データベース情報に基づいて、第１電子装置４０１は、発生したアラームイベントに関するお知らせ情報を第２電子装置４０２に送信することができ、第２電子装置４０２は、受信した情報に応じてアラーム（ａｌａｒｍ）を出力できる。
【００９１】
本発明の様々な実施形態によれば、第１電子装置４０１は、確認した時刻に応じて発生したお知らせを提供すべきイベントに関する情報を第１電子装置４０１で出力するか否かを決定できる。一実施形態によれば、第１電子装置４０１は、メディアデータをレコーティングする間に‘Ｊｏｓｅｐｈ’からの電話接続要求を受信することができる。第１電子装置４０１は、動作中のメディアデータレコーティングのデータベース又は第１電子装置４０１で発生するお知らせを提供すべきイベントを処理するためのデータベースを参照し、メディアデータのレコーティング中に電話接続要求イベントが発生した場合、電話接続要求に対するお知らせを第１電子装置４０１で出力するように設定されているか否かを決定できる。第１電子装置４０１は、‘１１時００分’から‘１４時３０分’までは第１電子装置４０１で発生した電話接続要求イベントに対するお知らせを表示しないように設定された（指定された）場合、‘１１時００分’から‘１４時３０分’までは発生した電話接続要求に関する情報を他の電子装置で出力するように制御できる。第１電子装置４０１は、‘１１時００分’から‘１４時３０分’まで第１電子装置４０１で電話接続要求イベントが発生した場合、第１電子装置４０１の代わりに電話接続要求イベントに対するお知らせを出力できる１つ又はそれ以上の他の電子装置を確認することができる。第１電子装置４０１は、接続された１つ又はそれ以上の他の電子装置から状態情報を受信することができ、状態情報を参照してお知らせ情報を送信する少なくとも１つの他の電子装置を選択できる。本発明の様々な実施形態によれば、第１電子装置４０１は、発生したイベントに対するお知らせを出力する１つ又はそれ以上の他の電子装置を決定するにあたって、指定された時刻情報に限定せず、第１電子装置４０１の位置情報、第１電子装置４０１又は第１電子装置が位置する領域の照度量情報、第１電子装置の移動速度情報のような様々な状態情報のうち１つ又はそれ以上の情報に対する指定された範囲に関する情報（指定された情報）を介して決定できる。
【００９２】
以下、本発明の様々な実施形態を図４Ｂを参照して説明する。
【００９３】
図４Ｂを参照すると、第１電子装置４０１は、１つ又はそれ以上の動作を行う間にお知らせを提供すべきイベントが発生したことを感知できる。第１電子装置４０１は、遂行中の１つ又はそれ以上のアプリケーションを参照してお知らせを出力するか否かを決定することができ、第１電子装置４０１でお知らせを出力しないことに決定する場合、お知らせを出力する第２電子装置４０２を決定することができ、決定した第２電子装置４０２に感知したお知らせの出力情報を送信できる。第１電子装置４０１は、第２電子装置４０２に送信したお知らせの出力情報に応じて第２電子装置４０２がお知らせ情報を出力した結果を確認していない場合、発生したお知らせを提供すべきイベントに関する重要度情報をデータベースで確認することができ、リアルタイムでお知らせを出力するように指定された動作ではない場合、第２電子装置４０２にお知らせ情報を再送する、または他の電子装置にお知らせ情報を送信できる。
【００９４】
一実施形態によれば、第１電子装置４０１は、ナビゲーション（Ｎａｖｉｇａｔｉｏｎ）アプリケーションの動作中にメッセージデータの受信を感知できる。第１電子装置４０１は、動作中のナビゲーションアプリケーションのデータベース又は第１電子装置４０１で発生するお知らせを提供すべきイベントを処理するためのデータベースを参照し、ナビゲーションアプリケーションの動作中にメッセージデータの受信に対するお知らせを第１電子装置４０１で出力するように設定されているか否かを決定できる。第１電子装置４０１は、ナビゲーションアプリケーションの動作中に発生したメッセージ受信に対するお知らせを表示しないように設定された場合、発生したメッセージ受信に関する情報を他の電子装置で出力するように制御できる。第１電子装置４０１は、通信インタフェース１７０を介して接続可能な１つ又はそれ以上の他の電子装置を確認することができる。第１電子装置４０１は、接続された１つ又はそれ以上の他の電子装置から状態情報を受信することができ、状態情報を参照してお知らせ情報を送信する少なくとも１つの他の電子装置を選択できる。別の実施形態によれば、第１電子装置４０１は、第２電子装置４０２に送信したメッセージデータに対するお知らせを第２電子装置４０２で出力したか否かを確認できなかった、又は第２電子装置４０２で出力できなかったと決定した場合、メッセージデータに対するお知らせを第２電子装置４０２に再送することができ、第１電子装置４０１と接続された他の電子装置で出力するようにお知らせ情報を他の電子装置に送信できる。
【００９５】
さらに別の実施形態によれば、第１電子装置４０１は、ナビゲーションアプリケーションのようにリアルタイム依存度が高いアプリケーションの動作中に発生した場合の優先順位（例えば、リアルタイム依存度に基づいて決定した優先順位）の順位がナビゲーションアプリケーションより低く決定されているメッセージデータ受信に関する情報を出力するにあたって、お知らせ情報を代わりに出力できる接続された他の電子装置を確認できない場合、受信したメッセージデータに対するお知らせを出力する動作を保留できる。第１電子装置４０１は、ナビゲーションアプリケーションの動作中に１つ又はそれ以上の接続可能な他の電子装置、例えば、第２電子装置４０２を確認して接続する、または第２電子装置４０２に接続されたことを確認した場合に保留中のメッセージデータの受信に関するお知らせ情報を第２電子装置４０２に送信できる。
【００９６】
また、一実施形態によれば、第１電子装置４０１は、ナビゲーションアプリケーションのように優先順位（例えば、リアルタイム依存度に基づいて決定した優先順位）が高いアプリケーションの動作中に発生した場合の優先順位（例えば、リアルタイム依存度に基づいて決定した優先順位）がナビゲーションアプリケーションより低く決定されているメッセージデータの受信に関する情報を出力するにあたって、お知らせ情報を代わりに出力できる接続された他の電子装置を確認できない場合、又は送信したメッセージデータの受信に関するお知らせ情報を出力したことを確認できなかった場合、ナビゲーションアプリケーションを終了した後、第１電子装置４０１で出力するように制御できる。
【００９７】
本発明の様々な実施形態によれば、第１電子装置４０１は、ナビゲーションアプリケーションのようにリアルタイム依存度が高いアプリケーションの動作中に発生した場合の優先順位（例えば、リアルタイム依存度に基づいて決定した優先順位）の順位がナビゲーションアプリケーションより高く決定されている電話接続要求に関する情報を出力するにあたって、お知らせ情報を代わりに出力できる接続された他の電子装置を確認できない場合、又は送信したメッセージデータの受信に関するお知らせ情報を出力したことを確認できなかった場合には第１電子装置４０１で出力できる。
【００９８】
上記の本発明の様々な実施形態は、第１電子装置４０１に保存されたデータベース及び／又はそれぞれのアプリケーションのデータベースに設定もしくは保存された情報又は前記お知らせの出力を制御する制御モジュールに設定された制御情報などに応じて行うことができる。
【００９９】
以下、本発明の様々な実施形態を図４Ｃを参照して説明する。
【０１００】
図４Ｃを参照すると、第１電子装置４０１は、１つ又はそれ以上の動作（例えば、アプリケーション）を行う間にお知らせを提供すべきイベントが発生したことを感知できる。第１電子装置４０１は、遂行中の１つ又はそれ以上の動作を参照してお知らせを出力するか否かを決定することができ、第１電子装置４０１でお知らせを出力しないことに決定する場合、お知らせを出力する第２電子装置４０２を決定することができ、決定した第２電子装置４０２に感知したお知らせの出力情報を送信できる。
【０１０１】
一実施形態によれば、第１電子装置４０１は、オンラインシステムアップデート動作のように大容量データの処理中に‘Ｊｏｓｅｐｈ’からの電話接続要求を受信することができる。第１電子装置４０１で発生するお知らせを提供すべきイベントを処理するためのデータベースを参照してオンラインシステムアップデート動作中に電話接続要求受信に対するお知らせを第１電子装置４０１で出力するように設定されているか否かを決定できる。第１電子装置４０１は、オンラインシステムアップデート動作中に発生した電話接続要求に対するお知らせを表示しないように設定された場合、発生した電話接続要求に関する情報を他の電子装置で出力するように制御できる。第１電子装置４０１は、接続された１つ又はそれ以上の他の電子装置のうちデータ処理量が少ない第２電子装置４０２で第１電子装置４０１で発生した電話接続要求に関する情報を出力することを決定することができ、第２電子装置４０２に電話接続要求に関するお知らせ情報を送信できる。第１電子装置４０１は、第２電子装置４０２に電話接続要求に関するお知らせ情報を送信する動作とともに第１電子装置４０１で音又は振動のような動作を行うこともでき、第１電子装置４０１に該当するディスプレイ１５０にお知らせ情報の送信に関する情報を出力することができ、音、振動、ディスプレイに出力する動作のうち２つ以上を組み合わせた動作を行うこともできる。
【０１０２】
図５Ａ及び図５Ｂは、本発明の様々な実施形態による電子装置におけるお知らせ情報の出力を制御する動作を示す。
【０１０３】
以下、本発明の様々な実施形態を図５Ａを参照して説明する。
【０１０４】
図５Ａを参照すると、例えば、電子装置１０１を第１電子装置５０１、電子装置１０２を第２電子装置５０２として説明できる。一実施形態によれば、第１電子装置５０１は、スマートフォンとして説明することができ、第２電子装置５０２は、着用可能なスマートウォッチとして説明することができる。
【０１０５】
図５Ａの（ａ）を参照すると、第１電子装置５０１でお知らせを提供すべきイベントを感知した場合、第１電子装置５０１は、第１電子装置５０１の状態情報及び接続された第２電子装置５０２の状態情報を獲得することができ、第１電子装置５０１及び第２電子装置５０２の状態に応じて第１電子装置５０１で発生したお知らせを提供すべきイベントに関する情報を出力する１つ又はそれ以上の電子装置を決定できる。
【０１０６】
一実施形態によれば、第１電子装置５０１は、お知らせを提供すべきイベントである‘Ｊｏｓｅｐｈ’からの電話接続要求を受信することができ、第１電子装置５０１の状態情報を獲得できる。第１電子装置５０１は、ＣＰを介して‘Ｊｏｓｅｐｈ’からの電話接続要求を受信することができ、ＡＰがスリープモード状態であると決定（又は確認）できる。第１電子装置５０１は、ＡＰがスリープモードである場合、発生した電話接続要求に対するお知らせを出力せず、第２電子装置５０２で出力するように決定できる。第１電子装置５０１は、接続された第２電子装置５０２から状態情報を獲得できる。第１電子装置５０１は、獲得した第２電子装置５０２の状態情報から第２電子装置５０２が着用中であることを確認することができ、着用中である第２電子装置５０２で第１電子装置５０１で発生した電話接続要求に関する情報を出力するように電話接続要求に関するお知らせ情報を第２電子装置５０２に送信できる。さらに、第１電子装置５０１又は第２電子装置５０２は、近接感知センサ又は通信モジュール（例えば、ＮＦＣモジュール、Ｗｉｆｉモジュール、ＢＴモジュール）のように近接した状態を決定できる１つ又はそれ以上の装置を介して第１電子装置５０１と第２電子装置５０２との間の距離を決定できる。第２電子装置５０２が第１電子装置５０１から指定された距離内に位置すると決定されると、第１電子装置５０１は、第２電子装置５０２でお知らせを出力するように決定できる。一実施形態によれば、第１電子装置５０１は、データベースに保存された情報に応じて電話接続要求を受信すると、ＡＰの状態を確認することができる。第１電子装置５０１のＡＰがスリープモードである場合、第１電子装置５０１は、接続された１つ又はそれ以上の他の電子装置に関する状態情報を獲得できる。第１電子装置５０１は、獲得した状態情報を介して着用可能な第２電子装置５０２が着用された状態であって、ＮＦＣ通信モジュールを介して第１電子装置５０１とタグされている状態（第１電子装置５０１及び第２電子装置５０２が指定された距離範囲内に位置する状態）であると決定（又は確認）された場合、第１電子装置５０１は、受信した電話接続要求に対するお知らせを第２電子装置５０２で出力するように決定することができ、電話接続要求に関するお知らせ情報を第２電子装置５０２に送信できる。
【０１０７】
別の実施形態によれば、第１電子装置５０１は、音声通話動作を行う間にメッセージデータを受信した場合、データベースに保存された情報に応じて他の電子装置に第１電子装置５０１が受信したメッセージ情報に関するお知らせ情報を出力するように決定できる。第１電子装置５０１は、接続された１つ又はそれ以上の他の電子装置に関する状態情報を獲得できる。第１電子装置５０１は、獲得した状態情報を介して着用可能な第２電子装置５０２が着用された状態であって、ブルートゥース（登録商標）通信を介して、第２電子装置で第１電子装置に対するブルートゥース（登録商標）通信の信号強度を感知することができ、ブルートゥース（登録商標）通信の信号強度が指定された範囲である場合、（通信信号強度で決定された第１電子装置５０１及び第２電子装置５０２の距離範囲が指定された距離範囲内に位置する状態）第１電子装置５０１は、受信したメッセージデータに対するお知らせを第２電子装置５０２で出力するように決定することができ、メッセージデータに関するお知らせ情報を第２電子装置５０２に送信できる。
【０１０８】
図５Ａの（ｂ）を参照すると、第１電子装置５０１は、待機モード状態、又は優先順位（例えば、リアルタイム依存度に基づいて決定した優先順位）が高くないインターネットサーフィン（ｉｎｔｅｒｎｅｔ  ｓｕｒｆｉｎｇ）のような動作を行う間に電話接続要求を受信した場合、例えば、データベースに保存された情報を参照して電話接続要求に対するお知らせを第１電子装置５０１で出力するように決定できる。第１電子装置５０１は、接続された他の電子装置が第２電子装置５０２である場合があり、第２電子装置５０２から状態情報を受信することができる。第１電子装置５０１は、第２電子装置５０２の状態情報から着用可能な第２電子装置５０２が着用していない状態及び／又はスリープモード状態であることを確認することができる。第１電子装置５０１は、接続された第２電子装置５０２が着用していない状態及び／又はスリープ状態で動作している場合、第１電子装置５０１が受信した電話接続要求に関するお知らせ情報を第２電子装置５０２で出力するように処理せず、第１電子装置５０１に出力できる。
【０１０９】
以下、本発明の様々な実施形態を図５Ｂを参照して説明する。
【０１１０】
図５Ｂを参照すると、電子装置１０１は、お知らせを提供すべきイベントの発生を感知した場合、該当するお知らせを電子装置で出力するか否かを決定するにあたって、例えば、電子装置１０１に保存されたデータベース、又はお知らせを提供すべきイベントが発生した時点で電子装置１０１で遂行中のアプリケーションのデータベースで設定された情報を介して、決定できる。電子装置１０１は、発生した動作に対するお知らせを表示するか否かを決定するにあたって、電子装置１０１の状態情報を参照することもできる。
【０１１１】
図５Ｂの（ａ）を参照すると、例えば、電子装置１０１は、電子装置１０１でお知らせを提供すべきイベントを感知した場合、該当するお知らせを電子装置１０１で出力するか否かを決定する方法において、電子装置１０１が含む１つ又はそれ以上のセンサを介して測定した情報を介して決定された電子装置１０１の状態、位置及び／又はモーションのうち少なくとも１つの情報を参照することができる。
【０１１２】
一実施形態によれば、電子装置１０１は、お知らせを提供すべきイベントを感知した時点で電子装置１０１が位置する電子装置のモーションを決定する座標（２次元又は３次元）に関する情報をジャイロセンサを介して獲得することができ、獲得した座標が電子装置１０１のデータベースに保存された電子装置１０１でお知らせを出力するように決定するモーションの範囲に含まれた場合、お知らせを電子装置１０１で出力できる。
【０１１３】
別の実施形態によれば、電子装置１０１は、お知らせを提供すべきイベントを感知した時点で電子装置１０１が位置する空間座標（例えば、ＧＰＳ座標）に関する情報を電子装置に機能的に接続されたＧＰＳを介して獲得することができ、獲得した座標に関する情報が電子装置１０１のデータベースに保存された電子装置１０１でお知らせを出力するように決定する座標の範囲に含まれた場合、お知らせを電子装置１０１で出力できる。
【０１１４】
さらに別の実施形態によれば、電子装置１０１は、お知らせを提供すべきイベントを感知した時点で電子装置１０１が動く速度に関する情報を加速度センサを介して獲得することができ、獲得した速度に関する情報が電子装置１０１のデータベースに保存された電子装置１０１でお知らせを出力するように決定する速度の範囲に含まれた場合、お知らせを電子装置１０１で出力できる。
【０１１５】
図５Ｂの（ｂ）を参照すると、電子装置１０１は、１つ又はそれ以上の機能を遂行中の状態でお知らせを提供すべきイベントを感知した場合、該当するお知らせを電子装置１０１で出力するか否かを決定する方法において、電子装置１０１が含む１つ又はそれ以上のセンサを介して測定した情報を介して決定された電子装置１０１の状態、位置及び／又はモーションのうち少なくとも１つの情報を参照することができる。
【０１１６】
一実施形態によれば、電子装置１０１は、瞳検出センサ（例えば、イメージセンサ）を介して電子装置１０１のディスプレイ１５０装置に表示した文書を制御する間にお知らせを提供すべきイベントの発生を感知できる。電子装置１０１は、瞳検出センサを介して瞳を検出した場合、ユーザが電子装置１０１を制御することに決定し、電子装置１０１に発生したイベントに対するお知らせを電子装置１０１を介して表示できる。
【０１１７】
電子装置１０１は、上記の実施形態に限定することなく、電子装置１０１が含む様々なセンサのうち１つ又はそれ以上で獲得した情報とデータベースに保存された情報とを比較して電子装置１０１で発生したお知らせを提供すべきイベントに対するお知らせを出力するか、または１つもしくはそれ以上の他の電子装置で出力するかを決定できる。さらに、上記の本発明の様々な実施形態は、電子装置１０１に保存されたデータベース及び／又はそれぞれのアプリケーションのデータベースに設定もしくは保存された情報又は前記お知らせの出力を制御する制御モジュールに設定された制御情報などに応じて行うことができる。
【０１１８】
図６は、本発明の様々な実施形態による電子装置におけるお知らせ情報を処理する動作を示す。
【０１１９】
図６を参照すると、例えば、電子装置１０１を第１電子装置６０１、電子装置１０２を第２電子装置６０２として説明できる。一実施形態によれば、第１電子装置６０１は、スマートフォンとして説明することができ、第２電子装置６０２は、着用可能なスマートウォッチとして説明することができる。
【０１２０】
第１電子装置６０１は、お知らせを提供すべきイベントの発生を感知すると、第１電子装置６０１又は１つ又はそれ以上の他の電子装置で発生したイベントに関するお知らせ情報を出力するように処理できる。第１電子装置６０１は、発生したイベントに対するお知らせを第１電子装置６０１又は第２電子装置６０２で出力するように処理することができ、第２電子装置６０２からイベントお知らせ出力に関する情報を獲得できる。第１電子装置６０１は、第２電子装置６０２から受信したイベントお知らせ出力に関する情報を介して第２電子装置６０２で出力したお知らせ情報を介して第１電子装置６０１で発生したイベントを確認したか否かを決定できる。第１電子装置６０１は、発生したイベントを確認したか否かを第１電子装置６０１又はイベントに連結されたアプリケーションのデータベースで発生したイベントに対して記録された情報と同期化させることができる。第１電子装置６０１は、発生したイベントが第１電子装置６０１又はイベントに対するお知らせを出力するようにお知らせ情報を送信した１つ又はそれ以上の他の電子装置（例えば、第２電子装置６０２）で確認されなかったと決定した場合、第１電子装置６０１は、第１電子装置６０１で該当するイベントに対するお知らせを出力又は再出力する、または接続された第２電子装置６０２で出力又は再出力するようにイベントに関するお知らせ情報を送信できる。
【０１２１】
一実施形態によれば、第１電子装置６０１は、受信した‘ショートメッセージ＃０１’及び‘ショートメッセージ＃０３’に関するお知らせ情報を第２電子装置６０２で表示するように‘ショートメッセージ＃０１’に関するお知らせ情報及び‘ショートメッセージ＃０３’に関するお知らせ情報を第２電子装置６０２に送信できる。第２電子装置６０２に送信した‘ショートメッセージ＃０１’及び‘ショートメッセージ＃０３’に関する情報（第２電子装置６０２に送信したお知らせ情報）、第１電子装置６０１で‘ショートメッセージ＃０１’及び‘ショートメッセージ＃０３’を確認しなかった状態に関する情報６１１，６１５，６２１，６２５（お知らせの確認有無に関する情報）などを第１電子装置６０１のデータベース６２０及び／又は‘ショートメッセージ＃０１’データ及び‘ショートメッセージ＃０３’データと連結されたＳＭＳアプリケーションのデータベース６３０に保存することができる。
【０１２２】
一実施形態によれば、第１電子装置６０１は、第１電子装置６０１がお知らせ情報（例えば、‘ショートメッセージ＃０１’、‘ショートメッセージ＃０３’）を他の電子装置（例えば、第２電子装置６０２）に送信したか否かを確認することができる。第１電子装置６０１がお知らせ情報を送信しなかった場合、第１電子装置６０１は、お知らせ情報を第１電子装置６０１に対するユーザが確認したか否かを判断できる。第１電子装置６０１に対するユーザがお知らせ情報を確認しなかった場合、第１電子装置６０１は、前記お知らせ情報を第１電子装置６０１のデータベース６２０又はＳＭＳアプリケーションデータベース６３０に未送信お知らせとして指定できる。追加的又は代案的に、第１電子装置６０１は、未送信お知らせとして指定されたお知らせ情報を他の電子装置（例えば、第２電子装置６０２）に送信できる。
【０１２３】
例えば、第１電子装置６０１が‘ショートメッセージ＃０１’及び‘ショートメッセージ＃０２’を第２電子装置６０２に送信しなかった場合、第１電子装置６０１は、‘ショートメッセージ＃０１’及び‘ショートメッセージ＃０２’の確認有無情報６１１に基づいて第１電子装置６０１に対するユーザが‘ショートメッセージ＃０１’及び‘ショートメッセージ＃０２’を確認しなかったことを確認することができる。この場合、第１電子装置６０１は、‘ショートメッセージ＃０１’及び‘ショートメッセージ＃０２’を第１電子装置６０１と通信する第２電子装置６０２に送信できる。
【０１２４】
第２電子装置６０２は、第１電子装置６０１から受信した‘ショートメッセージ＃０１’に関するお知らせ情報及び‘ショートメッセージ＃０３’に関するお知らせ情報を第２電子装置６０２で出力することができ、‘ショートメッセージ＃０１’の確認有無及び‘ショートメッセージ＃０３’の確認有無に関する情報を第２電子装置６０２のデータベース６２０及び／又は第２電子装置６０２のＳＭＳアプリケーションのデータベース（図示せず）に保存することができる。第２電子装置６０２は、‘ショートメッセージ＃０１’の確認有無６２１及び‘ショートメッセージ＃０３’の確認有無６２５に対して保存されたデータベース６２０の情報を第１電子装置６０１に送信できる。第２電子装置６０２は、第１電子装置６０１と通信インタフェース１７０を介して接続されていない場合、データベース６２０の‘ショートメッセージ＃０１’の確認有無６２１及びショートメッセージ＃０３’の確認有無６２５に関する情報の送信を保留することができ、第１電子装置６０１と接続された時点でデータベース６２０の‘ショートメッセージ＃０１’の確認有無６２１及び‘ショートメッセージ＃０３’の確認有無６２５に関する情報を第１電子装置６０１に送信できる。又は第１電子装置６０１に送信する状態情報に含んで送信することもできる。
【０１２５】
第１電子装置６０１は、第２電子装置６０２から受信した‘ショートメッセージ＃０１’の確認有無６２１及び‘ショートメッセージ＃０３’の確認有無６２５に関する情報を第１電子装置６０１のデータベース６２０に併合することができ、‘ショートメッセージ＃０１’及び‘ショートメッセージ＃０３’と連結されたＳＭＳアプリケーションのデータベース６３０に‘ショートメッセージ＃０１’の確認有無６２１及び‘ショートメッセージ＃０３’の確認有無６２５に関する情報をアップデートできる。
【０１２６】
一実施形態によれば、第１電子装置６０１は、第２電子装置に送信された‘ショートメッセージ＃０１’が第２電子装置６０２に対するユーザによって確認されたという情報を第１電子装置のデータベース６２０にアップデートできる。また、第１電子装置６０１は、前記情報を第２電子装置６０２に送信することができ、前記第２電子装置６０２は、前記情報を第２電子装置のデータベース６２０にアップデートできる。
【０１２７】
一実施形態によれば、第１電子装置６０１は、データベース６２０及びそれぞれのアプリケーションが含むデータベース６３０又は６４０を参照して確認されていないイベントに関する情報を検出できる。図６のデータベース６２０の‘ショートメッセージ＃０３’に関する情報６１５を確認すると、‘ショートメッセージ＃０３’は、第２電子装置６０２で出力されたが、確認していない状態であることを決定できる。追加的又は代案的に、一実施形態によれば、第１電子装置６０１は、‘ショートメッセージ＃０３’に対するお知らせをデータベース６２０又は第２電子装置６０２から受信した状態情報を参照して‘ショートメッセージ＃０３’に対するお知らせを第１電子装置６０１で出力できる。第１電子装置６０１に対するユーザによって第１電子装置で‘ショートメッセージ＃０３’が確認された場合、第１電子装置６０１は、‘ショートメッセージ＃０３’が第１電子装置６０１に対するユーザによって確認されたという情報を第１電子装置のデータベース６２０にアップデートできる。また、第１電子装置６０１は、前記情報を第２電子装置のデータベース６２０にアップデートするために前記情報を第２電子装置に送信できる。
【０１２８】
一実施形態によれば、第１電子装置６０１は、‘ショートメッセージ＃０３’を第２電子装置６０２で出力するように‘ショートメッセージ＃０３’に関するお知らせ情報を第２電子装置６０２に再送できる。また、一実施形態によれば、第１電子装置６０１は、‘ショートメッセージ＃０３’を他の外部装置である第３電子装置（例えば、第３電子装置３１４）（図示せず）で出力するように‘ショートメッセージ＃０３’に関するお知らせ情報を第３電子装置に送信できる。又は、第１電子装置６０１は、送信された‘ショートメッセージ＃０３’に関するお知らせ情報を第２電子装置６０２に再送せず、第２電子装置６０２で確認するまで待つことができる。第１電子装置６０１は、‘ショートメッセージ＃０３’の確認有無に関する情報を受信する、または指定された時間以上‘ショートメッセージ＃０３’の確認有無を確認できなかった場合、‘ショートメッセージ＃０３’の確認有無に関する情報を第１電子装置101のデータベース６２０及びＳＭＳアプリケーションのデータベース６３０にアップデートできる。
【０１２９】
一実施形態によれば、第１電子装置６０１は、発生した‘天気＃０２’イベントに対するお知らせを第１電子装置６０１で出力し、第１電子装置６０１で確認状態に関する情報をデータベース６２０に‘天気＃０２’に関する情報６１３のように記録することができ、天気アプリケーションのデータベース６４０にアップデートできる。または、一実施形態によれば、第１電子装置６０１で確認したお知らせ（例えば、天気#０２）はデータベース６２０又は天気アプリケーションのデータベース６４０から削除できる。第１電子装置６０１は、データベース６２０又はそれぞれのアプリケーションのデータベースによって一度又はそれ以上出力されたが、確認されていないイベントを決定することができ、確認されていないイベントに対して再出力するように処理できる。
【０１３０】
本発明の様々な実施形態によれば、お知らせを提供する電子装置（例えば、電子装置１０１）は、お知らせ情報を決定（ｄｅｔｅｒｍｉｎｅ）するための決定モジュール（例えば、決定モジュール２１０）と、前記電子装置又は前記電子装置と通信する１つ以上の外部装置のうち少なくとも１つに関する状態情報を獲得するための獲得モジュール（例えば、獲得モジュール２３０）と、状態情報に基づいて、前記電子装置及び前記１つ以上の外部装置のうち少なくとも１つの装置を介して前記お知らせ情報を提供するための提供モジュール（例えば、提供モジュール２４０）と、を含むことができる。
【０１３１】
本発明の様々な実施形態によれば、前記獲得モジュールは、前記お知らせ情報の属性に基づいて指定された情報に対応する情報を前記状態情報として獲得できる。
【０１３２】
本発明の様々な実施形態によれば、前記提供モジュールは、前記状態情報として獲得された前記電子装置に対するユーザに関する状態情報に基づいて、前記ユーザが現在使用している装置を介して前記お知らせ情報を提供できる。
【０１３３】
本発明の様々な実施形態によれば、前記提供モジュールは、前記電子装置で実行中のアプリケーションが前記お知らせ情報より優先順位が高い場合、前記お知らせ情報を前記１つ以上の外部装置に送信できる。
【０１３４】
本発明の様々な実施形態によれば、前記決定モジュールは、前記電子装置に対するユーザが前記電子装置を介して確認しなかった情報を前記お知らせ情報として決定できる。
【０１３５】
本発明の様々な実施形態によれば、前記決定モジュールは、前記電子装置で前記１つ以上の外部装置に送信しなかった情報を前記お知らせ情報として決定できる。
【０１３６】
本発明の様々な実施形態によれば、前記獲得モジュールは、第１優先順位を有する前記お知らせ情報及び前記電子装置で実行中の第２優先順位を有するアプリケーションに関する情報を獲得できる。
【０１３７】
本発明の様々な実施形態によれば、前記提供モジュールは、前記第１優先順位が前記第２優先順位より高いことに基づいて前記電子装置を介して前記お知らせ情報を提供することができ、前記第１優先順位が前記第２優先順位より低いことに基づいて前記１つ以上の外部装置を介して前記お知らせ情報を提供できる。
【０１３８】
本発明の様々な実施形態によれば、前記提供モジュールは、前記電子装置及び前記１つ以上の外部装置のうち活性化された装置を介して前記お知らせ情報を提供できる。
【０１３９】
本発明の様々な実施形態によれば、前記提供モジュールは、前記電子装置に対するユーザに関連づけられて設定された情報に対応するユーザ情報を獲得した装置を介して前記お知らせ情報を提供できる。例えば、前記提供モジュールは、前記電子装置でユーザのタッチ入力を獲得し、前記１つ以上の外部装置でユーザのタッチ入力を獲得できなかった場合、前記電子装置を介して前記お知らせ情報を提供できる。
【０１４０】
本発明の様々な実施形態によれば、前記提供モジュールは、前記状態情報として獲得された電源情報又は処理量情報が前記電子装置に指定された範囲に対応する場合、前記状態情報に該当する装置を介して前記お知らせ情報を提供できる。
【０１４１】
本発明の様々な実施形態によれば、前記提供モジュールは、前記電子装置又は前記１つ以上の外部装置が第１位置にある場合には前記電子装置を介して前記お知らせ情報を提供することができ、前記電子装置又は前記１つ以上の外部装置が第２位置にある場合には前記１つ以上の外部装置を介して前記お知らせ情報を提供できる。
【０１４２】
本発明の様々な実施形態によれば、前記提供モジュールは、前記状態情報として獲得された時間情報が第１時間である場合には前記電子装置を介して前記お知らせ情報を提供し、前記状態情報として獲得された時間情報が第２時間である場合には前記１つ以上の外部装置を介して前記お知らせ情報を提供できる。
【０１４３】
本発明の様々な実施形態によれば、前記提供モジュールは、前記電子装置と前記１つ以上の外部装置との間の通信情報又は前記距離情報が前記電子装置に指定された範囲に属する場合、前記お知らせ情報を前記１つ以上の外部装置に送信できる。
【０１４４】
本発明の様々な実施形態によれば、前記電子装置は、アプリケーションを処理するための第１プロセッサ及び前記電子装置の通信を制御するための第２プロセッサを含み、前記提供モジュールは、前記第１プロセッサが前記アプリケーションを実行している場合には、前記お知らせ情報を前記第２プロセッサを介して前記１つ以上の外部装置に送信できる。
【０１４５】
本発明の様々な実施形態によれば、前記電子装置は、前記電子装置及び前記１つ以上の外部装置に対するユーザが前記お知らせ情報を確認したか否かに関連した確認情報又は前記電子装置で前記お知らせ情報を前記１つ以上の外部装置に送信したか否かに関連した送信情報を獲得し、前記確認情報又は前記送信情報を前記電子装置に機能的に接続されたデータベース（ｄａｔａｂａｓｅ）に保存することができる。
【０１４６】
本発明の様々な実施形態によれば、前記電子装置は、前記確認情報又は前記送信情報が変更された場合、前記データベースをアップデートできる。
【０１４７】
本発明の様々な実施形態によれば、獲得モジュールは、電子装置又は少なくとも１つの外部装置のうち少なくとも１つに対するユーザの着用情報、視線情報、ジェスチャ情報又は認証情報のうち少なくとも１つの情報を状態情報として獲得するように設定されることができる。
【０１４８】
本発明の様々な実施形態によれば、獲得モジュールは、電子装置又は少なくとも１つの外部装置のうち少なくとも１つが使用されているか否かに関する状態情報を獲得するように制御できる。
【０１４９】
本発明の様々な実施形態によれば、決定モジュールは、電子装置に関連した少なくとも１つのお知らせ情報のうちユーザ確認入力の獲得有無に基づいてお知らせ情報を決定するように制御できる。
【０１５０】
本発明の様々な実施形態によれば、獲得モジュールは、電子装置で獲得したユーザ入力情報を状態情報として獲得し、提供モジュールは、ユーザ入力情報に基づいて、電子装置又は少なくとも１つの外部電子装置のうち少なくとも１つの装置を介してお知らせ情報を提供するように制御できる。
【０１５１】
本発明の様々な実施形態によれば、提供モジュールは、電子装置でユーザ入力情報を獲得した場合、電子装置を介してお知らせ情報を提供し、電子装置でユーザ入力情報を獲得しなかった場合、少なくとも１つの外部装置を介してお知らせ情報を提供するように制御できる。本発明の様々な実施形態によれば、獲得モジュールは、電子装置又は１つ又はそれ以上の外部装置のうち少なくとも１つと機能的に接続されたセンサで感知したセンサ情報をユーザ入力情報又は状態情報に含むように設定されることができる。
【０１５２】
本発明の様々な実施形態によれば、前記提供モジュールは、前記電子装置及び前記１つ以上の外部装置のうち活性化された装置を介して前記お知らせ情報を提供できる。
【０１５３】
本発明の様々な実施形態によれば、獲得モジュールは、電子装置又は少なくとも１つの外部装置のそれぞれと機能的に接続されたディスプレイの活性化状態情報を状態情報として獲得するように設定されることができる。
【０１５４】
本発明の様々な実施形態によれば、獲得モジュールは、電子装置の活性化状態情報を状態情報として獲得し、提供モジュールは、活性化状態情報に基づいて、電子装置又は少なくとも１つの外部電子装置のうち少なくとも１つの装置を介してお知らせ情報を提供するように制御できる。本発明の様々な実施形態によれば、提供モジュールは、電子装置が活性化状態である場合、電子装置を介してお知らせ情報を提供し、電子装置が非活性化状態である場合、少なくとも１つの外部装置を介してお知らせ情報を提供するように制御できる。
【０１５５】
本発明の様々な実施形態によれば、獲得モジュールは、電子装置で行うアプリケーションの属性情報を状態情報として獲得し、提供モジュールは、アプリケーションの属性情報に基づいて、電子装置又は１つ又はそれ以上の外部電子装置のうち少なくとも１つの装置を介してお知らせ情報を提供するように制御できる。
【０１５６】
本発明の様々な実施形態によれば、決定モジュール、獲得モジュール及び提供モジュールは、情報の送受信を処理する第１プロセッサに接続され、決定モジュールは、第１プロセッサを介してお知らせ情報を決定し、獲得モジュールは、第１プロセッサを介して電子装置の動作を制御する第２プロセッサがお知らせ情報を提供可能な状態であるかを決定し、提供モジュールは、第２プロセッサがお知らせ情報を提供可能な状態ではない場合、第１プロセッサを介してお知らせ情報を第２電子装置に送信するように制御できる。
【０１５７】
本発明の様々な実施形態によれば、電子装置は、第１プロセッサ及び第２プロセッサを含み、提供モジュールは、第１プロセッサでお知らせ情報を決定し、第２プロセッサでアプリケーションを実行する場合、アプリケーションの属性に基づいて第１プロセッサを介して少なくとも１つの外部装置でお知らせ情報を提供するように制御できる。
【０１５８】
本発明の様々な実施形態によれば、提供モジュールは、電子装置又は少なくとも１つの外部装置で指定された音で出力すること、１つ又はそれ以上の表示部で表示すること及び指定された方式で電子装置又は少なくとも１つの外部装置を振動させることのうち少なくとも１つを介してお知らせ情報を提供するように制御できる。
【０１５９】
本発明の様々な実施形態によれば、獲得モジュールは、少なくとも１つの外部装置にお知らせ情報を提供した場合、お知らせ情報を提供した少なくとも１つの外部装置からフィードバック情報を受信し、提供モジュールは、フィードバック情報から少なくとも１つの外部装置で提供したお知らせ情報を確認しなかったと決定し、少なくとも１つの外部装置にお知らせ情報を再送するように提供できる。本発明の様々な実施形態によれば、獲得モジュールは、少なくとも１つの外部電子装置に提供したお知らせ情報の確認有無を記録したフィードバック情報を獲得するように制御できる。
【０１６０】
本発明の様々な実施形態によれば、決定モジュールは、提供したお知らせを確認しなかったと決定し、提供モジュールは、お知らせ情報を再度提供するように制御できる。
【０１６１】
本発明の様々な実施形態によれば、決定モジュールは、提供したお知らせを確認しなかったと決定し、獲得モジュールは、少なくとも１つの外部装置の状態情報を獲得し、提供モジュールは、状態情報として決定したお知らせ情報の提供可否に応じてお知らせ情報を電子装置で提供する、または少なくとも１つの外部装置に送信するように制御できる。
【０１６２】
本発明の様々な実施形態によれば、獲得モジュールは、電子装置又は少なくとも１つの外部装置の活性化情報、遂行中の動作情報、遂行中の動作の重要度情報、バッテリ残量情報、接続された装置との通信状態情報、獲得した１つ又はそれ以上のセンシング情報、動作可能なアプリケーション又は機能の優先順位に関する情報、提供したお知らせの確認有無に関する情報のうち少なくとも１つを状態情報に含むように制御できる。本発明の様々な実施形態によれば、獲得モジュールは、１つ又はそれ以上の接続された通信方式で獲得した電子装置と少なくとも１つの外部装置との間の距離情報を通信状態情報に含むように制御できる。
【０１６３】
別の実施形態によれば、電子装置は、お知らせ情報を決定（ｄｅｔｅｒｍｉｎｅ）する動作と、電子装置又は少なくとも１つの外部装置のうち少なくとも１つに関連した状態情報を獲得する動作と、状態情報に基づいて、電子装置又は少なくとも１つの外部装置のうち少なくとも１つの装置を介してお知らせ情報を提供するように制御する動作と、を行うためのアプリケーション又はアプリケーションを記録したコンピュータ読取可能な記録媒体であり得る。
【０１６４】
別の実施形態によれば、第１電子装置において、お知らせ情報を出力するタッチスクリーン、前記第１電子装置で前記お知らせ情報を保存するメモリ、前記お知らせ情報を処理するお知らせ処理モジュール及び前記お知らせ処理モジュールを実行する１つ又はそれ以上のプロセッサを含み、前記お知らせ処理モジュールは、お知らせの発生を感知し、前記第１電子装置の第１状態情報を獲得し、前記第１状態情報として決定したお知らせの出力有無に応じて前記お知らせを出力する、又は第２電子装置に前記お知らせ情報を送信するように制御できる。
【０１６５】
本発明の様々な実施形態によれば、前記お知らせ情報を送信するステップで、前記お知らせ処理モジュールは、接続された前記第２電子装置の第２状態情報を受信し、受信した前記第２状態情報が出力可能な状態であることを示す場合、前記第２電子装置に前記お知らせ情報を送信するように制御できる。本発明の様々な実施形態によれば、前記お知らせ情報を送信するステップで、前記お知らせ処理モジュールは、 前記お知らせ情報を送信するステップで、前記お知らせ処理モジュールは、前記お知らせ情報に前記第２電子装置の前記お知らせの出力を処理するように制御できる 。
【０１６６】
本発明の様々な実施形態によれば、前記お知らせ情報を送信するステップで、前記お知らせ処理モジュールは、前記第２電子装置及び前記電子装置と接続された第３装置からそれぞれの状態情報を受信し、受信した前記第２電子装置及び前記第３電子装置のそれぞれの状態情報が出力可能な状態であることを示す場合、前記第２電子装置及び／又は前記第３電子装置に前記お知らせ情報を送信するように制御できる。
【０１６７】
本発明の様々な実施形態によれば、前記第２電子装置に前記お知らせ情報を送信した場合、前記第２電子装置からフィードバック情報を受信し、前記フィードバック情報から前記電子装置が出力した前記お知らせ情報を確認しなかったと決定し、前記第２電子装置に前記お知らせ情報を再送するように制御できる。本発明の様々な実施形態によれば、前記お知らせ処理モジュールは、前記お知らせ情報を前記第２電子装置で出力した後、出力した前記お知らせ情報の確認有無を記録した情報を前記フィードバック情報として決定するように制御できる。本発明の様々な実施形態によれば、前記お知らせ処理モジュールは、前記第２電子装置で前記お知らせ情報と連結された１つ又はそれ以上のアプリケーションを制御する動作で前記お知らせ情報の確認有無を決定するように制御できる。
【０１６８】
本発明の様々な実施形態によれば、前記お知らせ処理モジュールは、前記第２電子装置で前記お知らせ情報の処理量（ｌｏａｄ）で前記お知らせ情報の確認有無を決定するように制御できる。
【０１６９】
本発明の様々な実施形態によれば、前記お知らせ処理モジュールは、受信した電話接続要求、受信したメッセージ、及びアラーム動作に対するお知らせのうち少なくとも１つに対するお知らせを前記お知らせに決定するように制御できる。
【０１７０】
本発明の様々な実施形態によれば、前記お知らせ処理モジュールは、前記お知らせを出力した場合に前記出力したお知らせを確認しなかったと決定し、前記お知らせを再出力するように制御できる。
【０１７１】
本発明の様々な実施形態によれば、前記お知らせ処理モジュールは、前記お知らせを出力した場合に前記出力したお知らせを確認しなかったと決定し、前記電子装置の第２状態情報を獲得し、前記第２状態情報で決定したお知らせ出力可否に応じて前記お知らせを再出力又は前記第２電子装置に前記お知らせ情報を再送するように制御できる。
【０１７２】
本発明の様々な実施形態によれば、前記お知らせ処理モジュールは、前記第１電子装置の第１状態情報として前記第１電子装置の活性化情報、遂行中の動作情報、前記遂行中の動作の重要度情報、バッテリ残量情報、第２電子装置との通信状態情報、獲得した１つ又はそれ以上のセンシング情報、動作可能なアプリケーション又は機能の優先順位に関する情報、及び出力したお知らせの確認有無に関する情報のうち少なくとも１つを含み、前記第２電子装置の第２状態情報として前記第２電子装置の活性化情報、遂行中の動作情報、前記遂行中の動作の重要度情報、バッテリ残量情報、前記第１電子装置との通信状態情報、獲得した１つ又はそれ以上のセンシング情報、動作可能なアプリケーション又は機能の優先順位に関する情報、及び出力したお知らせの確認有無に関する情報のうち少なくとも１つを含むように制御できる。
【０１７３】
本発明の様々な実施形態によれば、前記お知らせ処理モジュールは、ユーザの瞳を感知した情報、タッチを感知した情報のうち少なくとも１つを感知して前記センシング情報として決定するように制御できる。本発明の様々な実施形態によれば、前記お知らせ処理モジュールは、１つ又はそれ以上の通信方式で獲得した前記第１電子装置と前記第２電子装置との間の距離情報をさらに含んで前記第１状態情報又は前記第２状態情報を決定するように制御できる。
【０１７４】
別の実施形態によれば、電子装置において、お知らせ情報を出力するタッチスクリーン、前記電子装置で前記お知らせ情報を保存するメモリ、前記お知らせ情報を処理するお知らせ処理モジュール及び前記お知らせ処理モジュールを実行する１つ又はそれ以上のプロセッサを含み、前記お知らせ処理モジュールは、情報の送受信を処理する第１プロセッサがお知らせ情報を受信し、前記第１プロセッサは、前記電子装置の動作を制御する第２プロセッサが前記お知らせ情報を出力制御可能な状態であるかを決定し、前記第２プロセッサが前記お知らせ情報を出力制御可能な状態ではない場合、前記第１プロセッサは、前記お知らせ情報を第２電子装置に送信するように制御できる。
【０１７５】
図７は、本発明の様々な実施形態による電子装置におけるお知らせ情報を処理する動作の流れを示す。
【０１７６】
図７を参照すると、電子装置１０１は、お知らせを提供すべきイベントを感知することができ、電子装置１０１及び他の電子装置の状態情報を獲得することができ、電子装置１０１のデータベース及び獲得した状態情報を介してお知らせ情報を出力する１つ又はそれ以上の電子装置を決定することができ、決定した電子装置にお知らせを出力又はお知らせ情報を送信できる。
【０１７７】
ステップ７０１にて、電子装置１０１は、ユーザに告知する必要があるアラーム（ａｌａｒｍ）機能、通信インタフェース１７０を介して受信した電話接続、メッセージデータなどのようなお知らせを提供すべきイベントが発生したことを感知できる。電子装置１０１は、スリープモード状態でお知らせを提供すべきイベントを感知することができ、１つ又はそれ以上の動作又は機能を遂行中の状態でお知らせを提供すべきイベントを感知することもできる。
【０１７８】
ステップ７０３にて、電子装置１０１は、電子装置１０１又は接続された１つ又はそれ以上の他の電子装置に関する状態情報を獲得できる。電子装置１０１又は１つ又はそれ以上の他の電子装置から獲得した状態情報は、電子装置１０１が活性化状態又は非活性化状態であるか（ＡＰ又はＣＰの活性化有無で決定できる）、活性化状態である場合、遂行中の動作又は機能、タッチセンサ、グリップセンサ、モーションセンサ（例えば、加速度センサ、ジャイロセンサ）、イメージセンサ、近接感知センサ、マイク、及び生体感知センサ（指紋感知センサ、静脈感知センサ、温度センサ）のようなセンサのうち電子装置１０１が含む１つ又はそれ以上のセンサを介して測定したユーザに関する状態情報（ユーザの状態情報及び／又はそれぞれの装置情報、電子装置１０１と接続された少なくとも１つの他の電子装置との通信状態又は他の電子装置６０２と接続可能な少なくとも１つの通信方式に関する情報、電子装置１０１及び電子装置６０２の接続された通信方式の信号強度を介して確認した２つの装置間の距離情報、電子装置１０１で動作可能なアプリケーション及び／又は機能の優先順位に関する情報、出力したお知らせの確認有無に関する情報）のうち１つ又はそれ以上を含むことができる。
【０１７９】
ステップ７０５にて、電子装置１０１は、獲得した状態情報及びデータベースに保存された情報を介して発生したイベントに対するお知らせを出力する１つ又はそれ以上の電子装置を決定できる。
【０１８０】
一実施形態によれば、電子装置１０１がスリープモード状態でお知らせを提供すべきイベントの発生を感知した場合、電子装置１０１は、データベースに保存された情報及び獲得した状態情報に応じてお知らせを出力する他の電子装置を決定できる。一実施形態によれば、電子装置１０１が活性化状態である場合、遂行中の機能及びお知らせを提供すべきイベントの優先順位をデータベースを参照して決定することができ、電子装置１０１で遂行中の機能の優先順位が高く決定されている場合、データベースに保存された情報及び獲得した状態情報を介してお知らせを出力する他の電子装置を決定できる。別の実施形態によれば、電子装置１０１と接続された着用可能なデバイス（又は電子装置）を着用した状態であると確認された場合又は着用したデバイスが電子装置１０１と指定された距離内に位置すると確認された場合、電子装置１０１で発生したお知らせを提供すべきイベントに対するお知らせをユーザが着用している着用可能なデバイスで出力するように決定できる。
【０１８１】
ステップ７０７にて、電子装置１０１は、お知らせを提供すべきイベントを感知し、お知らせ情報を第１電子装置１０１で出力することに決定した場合、該当するお知らせを出力できる。一実施形態によれば、電子装置１０１は、受信したメッセージデータを電子装置１０１で出力することに決定した場合、一般に受信したメッセージを出力する方式で出力できる。電子装置１０１は、メッセージデータを出力した後、該当するメッセージを確認した場合、確認有無に関する情報をデータベース又はメッセージデータと接続されたメッセージ（文字）アプリケーションのデータベースに保存することができる。
【０１８２】
別の実施形態によれば、電子装置１０１は、お知らせを提供すべきイベントを感知し、お知らせ情報を第１電子装置１０１と接続された他の電子装置で出力することに決定した場合、該当するお知らせの出力情報を決定した他の電子装置に送信できる。一実施形態によれば、電子装置１０１は、メディアデータを再生する間に電子メールを受信した場合、データベース及び獲得した状態情報を介して電子メールの受信に対するお知らせを他の電子装置に出力するように決定できる。電子装置１０１は、電子メールの受信に対するお知らせを出力するように処理する情報を決定した他の電子装置に送信できる。電子装置１０１は、お知らせ情報を送信した他の電子装置から出力したお知らせに対応する電子メールを確認したか否かに関する情報を受信することができる。
【０１８３】
電子装置１０１は、ステップ７０７を行うと、図７の実施形態を終了できる。
【０１８４】
図８は、本発明の様々な実施形態による電子装置におけるお知らせ情報を提供する動作の流れを示す。
【０１８５】
図８を参照すると、電子装置１０１は、お知らせを提供すべきイベントを感知することができ、電子装置１０１でお知らせを出力する、または外部電子装置でお知らせを出力するようにお知らせ情報を制御できる。ここで、外部電子装置は、上記の他の電子装置（例えば、電子装置６０２、電子装置１０４又はサーバ１６４）であることができ、外部装置、第２電子装置６０２、第３電子装置１０４の様な、上記の様々な方法で示すことができることは自明である。
【０１８６】
ステップ８０１にて、電子装置１０１は、お知らせを提供すべきイベントが発生したことを感知できる。ここで、お知らせを提供すべきイベントは、電子装置１０１で電話接続、メッセージデータのように通信インタフェース１７０を介して受信する動作であることができ、アラーム（ａｌａｒｍ）機能のようにユーザに告知する必要がある動作であり得る。
【０１８７】
ステップ８０３にて、電子装置１０１は、電子装置の状態を決定できる。一実施形態によれば、電子装置１０１は、少なくとも１つのプロセッサを含むことができ、プロセッサ１６０は、アプリケーションプロセッサ（Ａｐｐｌｉｃａｔｉｏｎ  Ｐｒｏｃｅｓｓｏｒ、ＡＰ）又はコミュニケーションプロセッサ（Ｃｏｍｍｕｎｉｃａｔｉｏｎ  Ｐｒｏｃｅｓｓｏｒ、ＣＰ）を含むことができる。ＡＰ又はＣＰは、それぞれのプロセッサに独立して構成されることができ、１つのプロセッサに含まれて構成されることもできる。ＡＰは、電子装置１０１のアプリケーションもしくは電子装置１０１を構成する１つ又はそれ以上の部分装置の動作を制御するプロセッサであることができ、ＣＰは、近距離無線通信又はネットワーク１６２通信を介して外部電子装置と情報を送受信するプロセッサであることができる。電子装置１０１は、ＡＰが活性化状態である場合、ステップ８０５を行うことができ、ＡＰが非活性化状態である場合、ステップ８０７を行うことができる。
【０１８８】
ステップ８０５にて、電子装置１０１は、ＡＰが活性化状態であることができ、ＡＰを介してお知らせを出力できる条件を満たすか否かを決定できる。一実施形態によれば、電子装置１０１は、１つ又はそれ以上のアプリケーション、機能を遂行する場合、お知らせを提供すべきイベントの発生を感知できる。電子装置１０１は、データベースの情報及び状態情報を介して遂行中のアプリケーション又は機能とお知らせを提供すべきイベントとの間の優先順位及び／又は重要度情報を介して発生した動作のお知らせを電子装置１０１で出力するか、または外部電子装置で出力するように処理するかを決定できる。電子装置１０１は、発生した動作のお知らせを電子装置１０１で出力することに決定した場合、ステップ８１１を行うことができ、発生した動作のお知らせを外部電子装置で出力することに決定した場合、ステップ８０７を行うことができる。
【０１８９】
ステップ８０７にて、電子装置１０１は、接続された１つ又はそれ以上の外部電子装置から１つ又はそれ以上の外部電子装置に関する状態情報を獲得できる。電子装置１０１は、データベースの情報及び獲得した状態情報を介して発生したお知らせに関する情報を出力できる条件を有する外部電子装置を決定できる。一実施形態によれば、外部電子装置が着用可能な電子装置である場合、着用有無、外部電子装置で遂行中のアプリケーション又は機能がある場合、発生したお知らせに関する情報を出力する動作との間の優先順位及び／又は重要度情報、電子装置１０１と外部電子装置との間に測定された距離のような情報のうち１つ又はそれ以上を介して外部電子装置が電子装置１０１で発生したお知らせに関する情報を出力できるか否かを決定できる。電子装置１０１は、外部電子装置が電子装置１０１で発生したお知らせに関する情報を出力できる場合、ステップ８０９を行うことができ、外部電子装置が電子装置１０１で発生したお知らせに関する情報を出力できない場合、ステップ８１１を行うことができる。
【０１９０】
ステップ８０９にて、電子装置１０１は、発生したお知らせに関する情報を出力することに決定した外部電子装置にお知らせ情報を送信できる。外部電子装置は、受信したお知らせ情報に応じてお知らせ（又はお知らせ情報）を出力できる。外部電子装置は、出力したお知らせを外部電子装置で確認したか否かに関する情報を保存することができ、電子装置１０１に送信できる。
電子装置１０１は、ステップ８０９を行うと、図８の実施形態を終了できる。
【０１９１】
ステップ８１１にて、電子装置１０１は、発生したお知らせに関する情報を電子装置１０１で出力できる。電子装置１０１は、出力したお知らせを電子装置１０１で確認したか否かに関する情報を保存することができ、電子装置１０１又は接続された他の電子装置で出力したお知らせに対応する情報を確認した履歴を検出できない場合、出力したお知らせを再出力する、または他の電子装置に送信又は再送できる。
【０１９２】
電子装置１０１は、ステップ８１１を行うと、図８の実施形態を終了できる。
【０１９３】
本発明の様々な実施形態によれば、電子装置の動作方法は、お知らせ情報を決定（ｄｅｔｅｒｍｉｎｅ）する動作と、前記電子装置又は前記電子装置と通信する１つもしくはそれ以上の外部装置のうち少なくとも１つに関連した状態情報を獲得する動作と、状態情報に基づいて、前記電子装置及び少なくとも１つの外部装置のうち少なくとも１つの装置を介して前記お知らせ情報を提供するように制御する動作と、を含むことができる。
【０１９４】
本発明の様々な実施形態によれば、前記決定する動作は、前記電子装置に対するユーザが前記電子装置を介して確認しなかった情報を前記お知らせ情報として決定する動作を含むことができる。
【０１９５】
本発明の様々な実施形態によれば、前記決定する動作は、前記電子装置で前記１つ以上の外部装置に送信しなかった情報を前記お知らせ情報として決定する動作を含むことができる。
【０１９６】
本発明の様々な実施形態によれば、前記獲得する動作は、第１優先順位を有する前記お知らせ情報及び前記電子装置で実行中の第２優先順位を有するアプリケーションに関する情報を獲得する動作を含むことができる。
【０１９７】
本発明の様々な実施形態によれば、前記提供する動作は、前記第１優先順位が前記第２優先順位より高いことに基づいて、前記電子装置を介して前記お知らせ情報を提供し、前記第１優先順位が前記第２優先順位より低いことに基づいて、前記１つ以上の外部装置を介して前記お知らせ情報を提供する動作を含むことができる。
【０１９８】
本発明の様々な実施形態によれば、前記提供する動作は、前記電子装置に対するユーザに関連づけられて設定された情報に対応するユーザ情報を獲得した装置を介して前記お知らせ情報を提供する動作を含むことができる。
【０１９９】
本発明の様々な実施形態によれば、前記提供する動作は、前記状態情報として獲得された電源情報又は処理量情報が前記電子装置に指定された範囲に対応する場合、前記状態情報に該当する装置を介して前記お知らせ情報を提供する動作を含むことができる。
【０２００】
本発明の様々な実施形態によれば、前記提供する動作は、前記電子装置又は前記１つ以上の外部装置が第１位置にある場合には前記電子装置を介して前記お知らせ情報を提供することができ、前記電子装置又は前記１つ以上の外部装置が第２位置にある場合には前記１つ以上の外部装置を介して前記お知らせ情報を提供する動作を含むことができる。
【０２０１】
本発明の様々な実施形態によれば、前記提供する動作は、前記状態情報として獲得された時間情報が第１時間である場合には前記電子装置を介して前記お知らせ情報を提供することができ、前記状態情報として獲得された時間情報が第２時間である場合には前記１つ以上の外部装置を介して前記お知らせ情報を提供する動作を含むことができる。
【０２０２】
本発明の様々な実施形態によれば、前記提供する動作は、前記電子装置と前記１つ以上の外部装置との間の通信情報又は前記距離情報が前記電子装置に指定された範囲に属する場合、前記お知らせ情報を前記１つ以上の外部装置に送信する動作を含むことができる。
【０２０３】
本発明の様々な実施形態によれば、前記電子装置及び前記１つ以上の外部装置に対するユーザが前記お知らせ情報を確認したか否かに関連した確認情報又は前記電子装置で前記お知らせ情報を前記１つ以上の外部装置に送信したか否かに関連した送信情報を獲得することができ、前記確認情報又は前記送信情報を前記電子装置に機能的に接続されたデータベース（ｄａｔａｂａｓｅ）に保存することができる。
【０２０４】
本発明の様々な実施形態によれば、前記保存する動作は、前記確認情報又は前記送信情報が変更された場合、前記データベースをアップデートできる。
【０２０５】
本発明の様々な実施形態によれば、状態情報は、電子装置又は少なくとも１つの外部装置のうち少なくとも１つが使用されているか否かに関する情報を含むことができる。
【０２０６】
本発明の様々な実施形態によれば、決定する動作は、電子装置に関連した少なくとも１つのお知らせ情報のうちユーザ確認入力の獲得有無に基づいてお知らせ情報を決定する動作を含むことができる。
【０２０７】
本発明の様々な実施形態によれば、決定する動作は、少なくとも１つの外部装置から少なくとも１つのお知らせ情報のそれぞれに対するユーザ確認情報を獲得する動作を含むことができる。
【０２０８】
本発明の様々な実施形態によれば、状態情報は、電子装置又は少なくとも１つの外部装置のうち少なくとも１つの電力情報、処理量（ｌｏａｄ）情報、ユーザに関する状態情報、及び電子装置に指定された情報のうち少なくとも１つの情報を含むことができる。
【０２０９】
本発明の様々な実施形態によれば、状態情報は、電子装置で獲得したユーザ入力情報を含み、制御する動作は、ユーザ入力情報に基づいて、電子装置又は少なくとも１つの外部電子装置のうち少なくとも１つの装置を介してお知らせ情報を提供するように制御する動作を含むことができる。本発明の様々な実施形態によれば、ユーザ入力情報は、電子装置又は１つ又はそれ以上の外部装置のうち少なくとも１つと機能的に接続されたセンサで感知した情報を含むことができる。
【０２１０】
本発明の様々な実施形態によれば、制御する動作は、電子装置でユーザ入力情報を獲得した場合、電子装置を介してお知らせ情報を提供し、電子装置でユーザ入力情報を獲得しなかった場合、少なくとも１つの外部装置を介してお知らせ情報を提供するように制御する動作を含むことができる。
【０２１１】
本発明の様々な実施形態によれば、前記提供する動作は、前記電子装置及び前記１つ以上の外部装置のうち活性化された装置を介して前記お知らせ情報を提供する動作を含むことができる。本発明の様々な実施形態によれば、前記制御する動作は、電子装置が活性化状態である場合、電子装置を介してお知らせ情報を提供し、電子装置が非活性化状態である場合、少なくとも１つの外部装置を介してお知らせ情報を提供するように制御する動作を含むことができる。
【０２１２】
本発明の様々な実施形態によれば、状態情報は、電子装置で行うアプリケーションの属性情報を含み、制御する動作は、アプリケーションの属性情報に基づいて、電子装置又は１つ又はそれ以上の外部電子装置のうち少なくとも１つの装置を介してお知らせ情報を提供するように制御する動作を含むことができる。
【０２１３】
本発明の様々な実施形態によれば、前記電子装置は、アプリケーションを処理するための第１プロセッサ及び前記電子装置の通信を制御するための第２プロセッサを含み、前記提供する動作は、前記第１プロセッサが前記アプリケーションを実行している場合には、前記お知らせ情報を前記第２プロセッサを介して前記１つ以上の外部装置に送信する動作を含むことができる。
【０２１４】
本発明の様々な実施形態によれば、提供する動作は、電子装置又は少なくとも１つの外部装置で指定された音で出力すること、１つ又はそれ以上の表示部でイメージ及び／又はテキストで表示すること及び指定された方式で電子装置又は少なくとも１つの外部装置を振動させることのうち少なくとも１つを使用することができる。
【０２１５】
本発明の様々な実施形態によれば、電子装置は、第１プロセッサ及び第２プロセッサを含み、決定する動作は、第１プロセッサでお知らせ情報を決定し、第２プロセッサでアプリケーションを実行する動作を含むことができる。
【０２１６】
本発明の様々な実施形態によれば、制御する動作は、アプリケーションの属性に基づいて、第１プロセッサを介して少なくとも１つの外部装置でお知らせ情報を提供するように制御する動作を含むことができる。
【０２１７】
本発明の様々な実施形態によれば、少なくとも１つの外部装置にお知らせ情報を提供した場合、お知らせ情報を提供した少なくとも１つの外部装置からフィードバック情報を受信する動作と、フィードバック情報から少なくとも１つの外部装置で提供したお知らせ情報を確認しなかったと決定する動作と、少なくとも１つの外部装置にお知らせ情報を再送する動作と、をさらに含むことができる。本発明の様々な実施形態によれば、フィードバック情報は、お知らせ情報を少なくとも１つの外部電子装置で提供した後、提供したお知らせ情報の確認有無を記録した情報であり得る。
【０２１８】
本発明の様々な実施形態によれば、お知らせ情報を提供した場合に提供したお知らせを確認しなかったと決定する動作と、お知らせ情報を再度提供する動作と、をさらに含むことができる。
【０２１９】
本発明の様々な実施形態によれば、お知らせを提供した場合にお知らせを確認しなかったと決定する動作と、少なくとも１つの外部装置の状態情報を獲得する動作と、状態情報として決定したお知らせ情報の提供可否に応じてお知らせ情報を電子装置で提供する、または少なくとも１つの外部装置に送信する動作と、をさらに含むことができる。
【０２２０】
本発明の様々な実施形態によれば、状態情報は、電子装置又は少なくとも１つの外部装置の活性化情報、遂行中の動作情報、遂行中の動作の重要度情報、バッテリ残量情報、接続された装置との通信状態情報、獲得した１つ又はそれ以上のセンシング情報、動作可能なアプリケーション又は機能の優先順位に関する情報、及び提供したお知らせの確認有無に関する情報のうち少なくとも１つを含む。本発明の様々な実施形態によれば、通信状態情報は、１つ又はそれ以上の接続された通信方式で獲得した電子装置と少なくとも１つの外部装置との間の距離情報をさらに含むことができる。
【０２２１】
本発明の様々な実施形態によれば、状態情報は、電子装置と少なくとも１つの外部装置との間の距離情報又は通信情報のうち少なくとも１つの情報を含むことができる。
【０２２２】
別の実施形態によれば、第１電子装置の動作方法において、お知らせの発生を感知するステップと、前記第１電子装置の第１状態情報を獲得するステップと、前記第１状態情報として決定したお知らせの出力有無に応じて前記お知らせを出力又は第２電子装置に前記お知らせ情報を送信するステップと、を含むことができる。
【０２２３】
本発明の様々な実施形態によれば、前記お知らせ情報を送信するステップは、接続された前記第２電子装置の第２状態情報を受信するステップと、受信した前記第２状態情報が出力可能な状態であることを示す場合、前記第２電子装置に前記お知らせ情報を送信するステップと、を含むことができる。本発明の様々な実施形態によれば、前記お知らせ情報を送信するステップは、前記お知らせ情報に前記第２電子装置の前記お知らせの出力を処理する制御情報を含むことができる。
【０２２４】
本発明の様々な実施形態によれば、前記お知らせ情報を送信するステップは、前記第２電子装置及び前記電子装置と接続された第３電子装置からそれぞれの状態情報を受信するステップと、受信した前記第２電子装置及び前記第３電子装置のそれぞれの状態情報が出力可能な状態であることを示す場合、前記第２電子装置及び／又は前記第３電子装置に前記お知らせ情報を送信するステップと、を含むことができる。
【０２２５】
本発明の様々な実施形態によれば、前記第２電子装置に前記お知らせ情報を送信した場合に前記第２電子装置からフィードバック情報を受信するステップと、前記フィードバック情報から前記電子装置が出力した前記お知らせ情報を確認しなかったと決定するステップと、前記第２電子装置に前記お知らせ情報を再送するステップと、をさらに含むことができる。本発明の様々な実施形態によれば、前記フィードバック情報は、前記お知らせ情報を前記第２電子装置で出力した後、出力した前記お知らせ情報の確認有無を記録した情報であると定めることができる。本発明の様々な実施形態によれば、前記お知らせ情報の確認有無は、前記第２電子装置で前記お知らせ情報と連結された１つ又はそれ以上のアプリケーションを制御する動作であると定めることができる。本発明の様々な実施形態によれば、前記お知らせは、受信した電話接続要求、受信したメッセージ、及びアラーム動作に対するお知らせのうち少なくとも１つに対するお知らせであると定めることができる。
【０２２６】
本発明の様々な実施形態によれば、前記お知らせを出力した場合に、前記出力したお知らせを確認しなかったと決定するステップと、前記お知らせを再出力するステップと、をさらに含むことができる。
【０２２７】
本発明の様々な実施形態によれば、前記お知らせを出力した場合に前記出力したお知らせを確認しなかったと決定するステップと、前記電子装置の第２状態情報を獲得するステップと、前記第２状態情報で決定したお知らせ出力可否に応じて前記お知らせを再出力又は前記第２電子装置に前記お知らせ情報を再送するステップと、をさらに含むことができる。
【０２２８】
本発明の様々な実施形態によれば、前記第１電子装置の第１状態情報は、前記第１電子装置の活性化情報、遂行中の動作情報、前記遂行中の動作の重要度情報、バッテリ残量情報、第２電子装置との通信状態情報、獲得した１つ又はそれ以上のセンシング情報、動作可能なアプリケーション又は機能の優先順位に関する情報、及び出力したお知らせの確認有無に関する情報のうち少なくとも１つを含み、前記第２電子装置の第２状態情報は、前記第２電子装置の活性化情報、遂行中の動作情報、前記遂行中の動作の重要度情報、バッテリ残量情報、前記第１電子装置との通信状態情報、獲得した１つ又はそれ以上のセンシング情報、動作可能なアプリケーション又は機能の優先順位に関する情報、及び出力したお知らせの確認有無に関する情報のうち少なくとも１つを含むことができる。本発明の様々な実施形態によれば、それぞれのセンシング情報は、ユーザの瞳を感知した情報、タッチを感知した情報のうち少なくとも１つを感知できる。本発明の様々な実施形態によれば、それぞれの通信状態情報は、１つ又はそれ以上の通信方式で獲得した前記第１電子装置と前記第２電子装置との間の距離情報をさらに含むことができる。
【０２２９】
別の実施形態によれば、電子装置の動作方法において、情報の送受信を処理する第１プロセッサがお知らせ情報を受信するステップと、前記第１プロセッサは、前記電子装置の動作を制御する第２プロセッサが前記お知らせ情報を出力制御可能な状態であるかを決定するステップと、前記第２プロセッサが前記お知らせ情報を出力制御可能な状態ではない場合、前記第１プロセッサは、前記お知らせ情報を第２電子装置に送信するステップと、を含むことができる。
【０２３０】
図９は、本発明の様々な実施形態によるハードウェア９００のブロック図を示す。前記ハードウェア９００は、例えば、図１に示す電子装置１０１の全体又は一部を構成できる。図９を参照すると、前記ハードウェア９００は、１つ以上のプロセッサ９１０、ＳＩＭ（ｓｕｂｓｃｒｉｂｅｒ  ｉｄｅｎｔｉｆｉｃａｔｉｏｎ  ｍｏｄｕｌｅ）カード９１４、メモリ９２０、通信モジュール９３０、センサモジュール９４０、ユーザ入力モジュール９５０、ディスプレイモジュール９６０、インタフェース９７０、オーディオコーデック９８０、カメラモジュール９９１、電力管理モジュール９９５、バッテリ９９６、インジケータ９９７及びモータ９９８を含むことができる。
【０２３１】
前記プロセッサ９１０（例えば、前記プロセッサ１６０は、１つ以上のアプリケーションプロセッサ（ＡＰ：ａｐｐｌｉｃａｔｉｏｎ  ｐｒｏｃｅｓｓｏｒ）９１１又は１つ以上のコミュニケーションプロセッサ（ＣＰ：ｃｏｍｍｕｎｉｃａｔｉｏｎ  ｐｒｏｃｅｓｓｏｒ）９１３を含むことができる。前記プロセッサ９１０は、例えば、図１に示すプロセッサ１６０であることができる。図９では前記ＡＰ９１１及び前記ＣＰ９１３がプロセッサ９１０内に含まれたものであると図示したが、前記ＡＰ９１１及び前記ＣＰ９１３は、互いに異なるＩＣパッケージ内にそれぞれ含まれ得る。一実施形態では、前記ＡＰ９１１及び前記ＣＰ９１３は、１つのＩＣパッケージ内に含まれ得る。
【０２３２】
前記ＡＰ９１１は、オペレーションシステム又は応用アプリケーションを駆動して前記ＡＰ９１１に接続された複数のハードウェア又はソフトウェア構成要素を制御し、マルチメディアデータを含む各種データの処理及び演算を行うことができる。前記ＡＰ９１１は、例えば、ＳｏＣ（ｓｙｓｔｅｍ  ｏｎ  ｃｈｉｐ）として具現され得る。一実施形態によれば、前記プロセッサ９１０は、ＧＰＵ（ｇｒａｐｈｉｃ  ｐｒｏｃｅｓｓｉｎｇ  ｕｎｉｔ、図示せず）をさらに含むことができる。
【０２３３】
前記ＣＰ９１３は、前記ハードウェア９００を含む電子装置（例えば、前記電子装置１０１）とネットワークで接続された他の電子装置との間の通信でデータリンクを管理し通信プロトコルを変換する機能を行うことができる。前記ＣＰ９１３は、例えば、ＳｏＣとして具現され得る。一実施形態によれば、前記ＣＰ９１３は、マルチメディア制御機能の少なくとも一部を行うことができる。前記ＣＰ９１３は、例えば、加入者識別モジュール（例えば、ＳＩＭカード９１４）を用いて通信ネットワーク内で端末の区別及び認証を行うことができる。また、前記ＣＰ９１３は、ユーザに音声通話、ビデオ通話、テキストメッセージ又はパケットデータ（ｐａｃｋｅｔ  ｄａｔａ）などのサービスを提供できる。
【０２３４】
また、前記ＣＰ９１３は、前記通信モジュール９３０のデータ送受信を制御できる。図９では、前記ＣＰ９１３、前記電力管理モジュール９９５又は前記メモリ９２０などの構成要素が前記ＡＰ９１１と別個の構成要素として図示されているが、一実施形態によれば、前記ＡＰ９１１が上記の構成要素の少なくとも一部（例えば、前記ＣＰ９１３）を含むように具現され得る。
【０２３５】
一実施形態によれば、前記ＡＰ９１１又は前記ＣＰ９１３は、それぞれに接続された不揮発性メモリ又は他の構成要素のうち少なくとも１つから受信した命令又はデータを揮発性メモリにロード（ｌｏａｄ）して処理できる。また、前記ＡＰ９１１又は前記ＣＰ９１３は、他の構成要素のうち少なくとも１つから受信する、または他の構成要素のうち少なくとも１つによって生成されたデータを不揮発性メモリに保存（ｓｔｏｒｅ）できる。
【０２３６】
前記ＳＩＭカード９１４は、加入者識別モジュールを具現したカードであることができ、電子装置の特定の位置に形成されたスロットに挿入されることができる。前記ＳＩＭカード９１４は、固有の識別情報（例えば、ＩＣＣＩＤ（ｉｎｔｅｇｒａｔｅｄ  ｃｉｒｃｕｉｔ  ｃａｒｄ  ｉｄｅｎｔｉｆｉｅｒ））又は加入者情報（例えば、ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ））を含むことができる。
【０２３７】
前記メモリ９２０は、内蔵メモリ９２２又は外付けメモリ９２４を含むことができる。前記メモリ９２０は、例えば、図１に示すメモリ１３０であり得る。前記内蔵メモリ９２２は、例えば、揮発性メモリ（例えば、ＤＲＡＭ（ｄｙｎａｍｉｃ  ＲＡＭ）、ＳＲＡＭ（ｓｔａｔｉｃ  ＲＡＭ）、ＳＤＲＡＭ（ｓｙｎｃｈｒｏｎｏｕｓ  ｄｙｎａｍｉｃ  ＲＡＭ）等）又は不揮発性メモリ（ｎｏｎ−ｖｏｌａｔｉｌｅ  Ｍｅｍｏｒｙ、例えば、ＯＴＰＲＯＭ（ｏｎｅ  ｔｉｍｅ  ｐｒｏｇｒａｍｍａｂｌｅ  ＲＯＭ）、ＰＲＯＭ（ｐｒｏｇｒａｍｍａｂｌｅ  ＲＯＭ）、ＥＰＲＯＭ（ｅｒａｓａｂｌｅ  ａｎｄ  ｐｒｏｇｒａｍｍａｂｌｅ  ＲＯＭ）、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ＲＯＭ）、ｍａｓｋ  ＲＯＭ、ｆｌａｓｈ  ＲＯＭ、ＮＡＮＤ  ｆｌａｓｈ  ｍｅｍｏｒｙ、ＮＯＲ  ｆｌａｓｈ  ｍｅｍｏｒｙ等）のうち少なくとも１つを含むことができる。一実施形態によれば、前記内蔵メモリ９２２は、Ｓｏｌｉｄ  Ｓｔａｔｅ  Ｄｒｉｖｅ（ＳＳＤ）の形態であることができる。前記外付けメモリ９２４は、フラッシュドライブ（ｆｌａｓｈ  ｄｒｉｖｅ）、例えば、ＣＦ（ｃｏｍｐａｃｔ  ｆｌａｓｈ）、ＳＤ（ｓｅｃｕｒｅ  ｄｉｇｉｔａｌ）、Ｍｉｃｒｏ−ＳＤ（ｍｉｃｒｏ  ｓｅｃｕｒｅ  ｄｉｇｉｔａｌ）、Ｍｉｎｉ−ＳＤ（ｍｉｎｉ  ｓｅｃｕｒｅ  ｄｉｇｉｔａｌ）、ｘＤ（ｅｘｔｒｅｍｅ  ｄｉｇｉｔａｌ）又はメモリースティック（Ｍｅｍｏｒｙ  Ｓｔｉｃｋ）などをさらに含むことができる。
【０２３８】
前記通信モジュール９３０は、無線通信モジュール９３１又はＲＦモジュール９３４を含むことができる。前記通信モジュール９３０は、例えば、図１に示す通信インタフェース１７０であり得る。前記無線通信モジュール９３１は、例えば、ＷｉＦｉ９３３、ＢＴ（ｂｌｕｅｔｏｏｔｈ（登録商標））９３５、ＧＰＳ９３７又はＮＦＣ（ｎｅａｒ  ｆｉｅｌｄ  ｃｏｍｍｕｎｉｃａｔｉｏｎ）９３９を含むことができる。例えば、前記無線通信モジュール９３１は、無線周波数を用いて無線通信機能を提供できる。追加的又は代案的に、前記無線通信モジュール９３１は、前記ハードウェア９００をネットワーク（例えば、Ｉｎｔｅｒｎｅｔ、ＬＡＮ（ｌｏｃａｌ  ａｒｅａ  ｎｅｔｗｏｒｋ）、ＷＡＮ（ｗｉｒｅ  ａｒｅａ  ｎｅｔｗｏｒｋ）、通信ネットワーク（ｔｅｌｅｃｏｍｍｕｎｉｃａｔｉｏｎ  ｎｅｔｗｏｒｋ）、セルラーネットワーク（ｃｅｌｌｕｌａｒ  ｎｅｔｗｏｒｋ）、衛星ネットワーク（ｓａｔｅｌｌｉｔｅ  ｎｅｔｗｏｒｋ）又はＰＯＴＳ（ｐｌａｉｎ  ｏｌｄ  ｔｅｌｅｐｈｏｎｅ  ｓｅｒｖｉｃｅ）等）と接続させるためのネットワークインタフェース（例えば、ＬＡＮ  ｃａｒｄ）又はモデムなどを含むことができる。
【０２３９】
前記ＲＦモジュール９３４は、データの送受信、例えば、ＲＦ信号又は呼び出された電子信号の送受信を担当することができる。前記ＲＦモジュール９３４は、図示していないが、例えば、トランシーバ（ｔｒａｎｓｃｅｉｖｅｒ）、ＰＡＭ（ｐｏｗｅｒ  ａｍｐ  ｍｏｄｕｌｅ）、周波数フィルタ（ｆｒｅｑｕｅｎｃｙ  ｆｉｌｔｅｒ）又はＬＮＡ（ｌｏｗ  ｎｏｉｓｅ  ａｍｐｌｉｆｉｅｒ）などを含むことができる。また、前記ＲＦモジュール９３４は、無線通信で自由空間上の電磁波を送受信するための部品、例えば、導体又は導線などをさらに含むことができる。
【０２４０】
前記センサモジュール９４０は、例えば、ジェスチャセンサ９４０Ａ、ジャイロセンサ９４０Ｂ、気圧センサ９４０Ｃ、マグネティックセンサ９４０Ｄ、加速度センサ９４０Ｅ、グリップセンサ９４０Ｆ、近接センサ９４０Ｇ、ＲＧＢ（ｒｅｄ、ｇｒｅｅｎ、ｂｌｕｅ）センサ９４０Ｈ、生体センサ９４０Ｉ、温度／湿度センサ９４０Ｊ、照度センサ９４０Ｋ又はＵＶ（ｕｌｔｒａ  ｖｉｏｌｅｔ）センサ９４０Ｍのうち少なくとも１つを含むことができる。前記センサモジュール９４０は、物理量を計測する、または電子装置の作動状態を感知し、計測又は感知された情報を電気信号に変換できる。追加的に／代わりに、前記センサモジュール９４０は、例えば、ニオイセンサ（Ｅ−ｎｏｓｅ  ｓｅｎｓｏｒ、図示せず）、ＥＭＧセンサ（ｅｌｅｃｔｒｏｍｙｏｇｒａｐｈｙ  ｓｅｎｓｏｒ、図示せず）、ＥＥＧセンサ（ｅｌｅｃｔｒｏｅｎｃｅｐｈａｌｏｇｒａｍ  ｓｅｎｓｏｒ、図示せず）、ＥＣＧセンサ（ｅｌｅｃｔｒｏｃａｒｄｉｏｇｒａｍ  ｓｅｎｓｏｒ、図示せず）又は指紋センサなどを含むことができる。前記センサモジュール９４０は、その中に属する少なくとも１つ以上のセンサを制御するための制御回路をさらに含むことができる。
【０２４１】
前記ユーザ入力モジュール９５０は、タッチパネル（ｔｏｕｃｈ  ｐａｎｅｌ）９５２、（デジタル）ペンセンサ（ｐｅｎ  ｓｅｎｓｏｒ）９５４、キー（ｋｅｙ）９５６又は超音波入力装置９５８を含むことができる。前記ユーザ入力モジュール９５０は、例えば、図１に示す入出力インタフェース１４０であり得る。前記タッチパネル９５２は、例えば、静電式、減圧式、赤外線方式又は超音波方式のうち少なくとも１つの方式でタッチ入力を認識できる。また、前記タッチパネル９５２は、コントローラ（図示せず）をさらに含むことができる。静電式の場合、直接タッチだけでなく近接認識も可能である。前記タッチパネル９５２は、タクタイルレイヤ（ｔａｃｔｉｌｅ  ｌａｙｅｒ）をさらに含むことができる。この場合、前記タッチパネル９５２は、ユーザに触覚反応を提供できる。
【０２４２】
前記（デジタル）ペンセンサ９５４は、例えば、ユーザのタッチ入力を受けることと同じ又は類似の方法又は別途の認識用シート（ｓｈｅｅｔ）を用いて具現され得る。前記キー９５６としては、例えば、キーパッド又はタッチキーが用いられ得る。前記超音波入力装置９５８は、超音波信号を発生するペンを介して、端末でマイク（例えば、マイク９８８）で音波を感知してデータを確認することができる装置であって、無線認識が可能である。一実施形態によれば、前記ハードウェア９００は、前記通信モジュール９３０を用いてこれと接続された外部装置（例えば、ネットワーク、コンピュータ又はサーバ）からユーザ入力を受信することもできる。
【０２４３】
前記ディスプレイモジュール９６０は、パネル９６２又はホログラム９６４を含むことができる。前記ディスプレイモジュール９６０は、例えば、図１に示すディスプレイモジュール１５０であり得る。前記パネル９６２は、例えば、ＬＣＤ（ｌｉｑｕｉｄ−ｃｒｙｓｔａｌ  ｄｉｓｐｌａｙ）又はＡＭ−ＯＬＥＤ（ａｃｔｉｖｅ−ｍａｔｒｉｘ  ｏｒｇａｎｉｃ  ｌｉｇｈｔ−ｅｍｉｔｔｉｎｇ  ｄｉｏｄｅ）などであり得る。前記パネル９６２は、例えば、柔軟に（ｆｌｅｘｉｂｌｅ）、透明に（ｔｒａｎｓｐａｒｅｎｔ）又は着用可能に（ｗｅａｒａｂｌｅ）具現され得る。前記パネル９６２は、前記タッチパネル９５２と１つのモジュールとして構成されることができる。前記ホログラム９６４は、光の干渉を用いて立体映像を虚空に示すことができる。一実施形態によれば、前記ディスプレイモジュール９６０は、前記パネル９６２又は前記ホログラム９６４を制御するための制御回路をさらに含むことができる。
【０２４４】
前記インタフェース９７０は、例えば、ＨＤＭＩ（登録商標）（ｈｉｇｈ−ｄｅｆｉｎｉｔｉｏｎ  ｍｕｌｔｉｍｅｄｉａ  ｉｎｔｅｒｆａｃｅ）９７２、ＵＳＢ（ｕｎｉｖｅｒｓａｌ  ｓｅｒｉａｌ  ｂｕｓ）９７４、プロジェクタ９７６又はＤ−ｓｕｂ（Ｄ−ｓｕｂｍｉｎｉａｔｕｒｅ）９７８を含むことができる。追加的又は代案的に、前記インタフェース９７０は、例えば、ＳＤ（ｓｅｃｕｒｅ  Ｄｉｇｉｔａｌ）／ＭＭＣ（ｍｕｌｔｉ−ｍｅｄｉａ  ｃａｒｄ）（図示せず）又はＩｒＤＡ（ｉｎｆｒａｒｅｄ  ｄａｔａ  ａｓｓｏｃｉａｔｉｏｎ、図示せず）を含むことができる。
【０２４５】
前記オーディオコーデック９８０は、音声と電気信号を双方向に変換できる。前記オーディオコーデック９８０は、例えば、スピーカ９８２、レシーバ９８４、イヤホン９８６又はマイク９８８等を介して入力又は出力される音声情報を変換させることができる。
【０２４６】
前記カメラモジュール９９１は、画像及び動画を撮影できる装置であって、一実施形態によれば、１つ以上のイメージセンサ（例えば、前面レンズ又は後面レンズ）、ＩＳＰ（ｉｍａｇｅ  ｓｉｇｎａｌ  ｐｒｏｃｅｓｓｏｒ、図示せず）又はフラッシュＬＥＤ（ｆｌａｓｈ  ＬＥＤ、図示せず）を含むことができる。
【０２４７】
前記電力管理モジュール９９５は、前記ハードウェア９００の電力を管理できる。図示していないが、前記電力管理モジュール９９５は、例えば、ＰＭＩＣ（ｐｏｗｅｒ  ｍａｎａｇｅｍｅｎｔ  ｉｎｔｅｇｒａｔｅｄ  ｃｉｒｃｕｉｔ）、充電ＩＣ（ｃｈａｒｇｅｒ  ｉｎｔｅｇｒａｔｅｄ  ｃｉｒｃｕｉｔ）又はバッテリ残量ゲージ（ｂａｔｔｅｒｙ  ｆｕｅｌ  ｇａｕｇｅ）を含むことができる。
【０２４８】
前記ＰＭＩＣは、例えば、集積回路又はＳｏＣ半導体内に搭載されることができる。充電方式は有線と無線とに区分されることができる。前記充電ＩＣは、バッテリを充電させることができ、充電器からの過電圧又は過電流の流入を防止できる。一実施形態によれば、前記充電ＩＣは、有線充電方式又は無線充電方式のうち少なくとも１つのための充電ＩＣを含むことができる。無線充電方式には、例えば、磁気共鳴方式、磁気誘導方式又は電磁波方式などがあり、無線充電のための付加的な回路、例えば、コイルループ、共振回路、整流器などの回路が追加されることができる。
【０２４９】
前記バッテリ残量ゲージは、例えば、前記バッテリ９９６の残量、充電中電圧、電流又は温度を測定できる。前記バッテリ９９６は、電気を生成して電源を供給することができ、例えば、充電式電池（ｒｅｃｈａｒｇｅａｂｌｅ  ｂａｔｔｅｒｙ）であり得る。
【０２５０】
前記インジケータ９９７は、前記ハードウェア９００又はその一部（例えば、前記ＡＰ９１１）の特定の状態、例えば、ブート状態、メッセージ状態又は充電状態などを表示できる。前記モータ９９８は、電気的信号を機械的振動に変換できる。 ＭＣＵ (main control unit、図示せず)は、前記センサモジュール９４０を制御できる。
【０２５１】
図示していないが、前記ハードウェア９００は、モバイルＴＶサポートのための処理装置（例えば、ＧＰＵ）を含むことができる。前記モバイルＴＶサポートのための処理装置は、例えば、ＤＭＢ（ｄｉｇｉｔａｌ  ｍｕｌｔｉｍｅｄｉａ  ｂｒｏａｄｃａｓｔｉｎｇ）、ＤＶＢ（ｄｉｇｉｔａｌ  ｖｉｄｅｏ  ｂｒｏａｄｃａｓｔｉｎｇ）又はメディアフロー（ＭｅｄｉａＦＬＯ）などの規格によるメディアデータを処理できる。本発明によるハードウェアの上記の構成要素は、それぞれ１つ又はそれ以上の部品（ｃｏｍｐｏｎｅｎｔ）で構成されることができ、当該構成要素の名称は電子装置の種類によって異なる場合がある。本発明によるハードウェアは、上記の構成要素のうち少なくとも１つを含んで構成されることができ、一部の構成要素が省略される、または追加的な他の構成要素をさらに含むことができる。また、本発明によるハードウェアの構成要素のうち一部が結合されて１つの個体（ｅｎｔｉｔｙ）として構成されることによって、結合前の当該構成要素の機能を同一に行うことができる。
【０２５２】
一実施形態によれば、電子装置１０１の動作方法において、お知らせを感知する動作と、他の電子装置との通信接続情報を獲得する動作と、他の電子装置の状況情報を獲得する動作と、通信接続情報又は状況情報に基づいて他の電子装置にお知らせを伝達する動作と、を含むことができる。
【０２５３】
本発明の様々な実施形態によれば、伝達する動作は、電子装置の状況情報を獲得する動作と、電子装置の状況情報及び他の電子装置の状況情報に基づいて伝達する動作と、を含むことができる。
【０２５４】
本発明の様々な実施形態によれば、伝達する動作は、電子装置又は他の電子装置の動作状態を確認する動作と、動作状態に基づいて他の電子装置にお知らせを伝達する動作と、をさらに含むことができる。
【０２５５】
本発明の様々な実施形態によれば、電子装置は、第１プロセッサ及び第２プロセッサを含み、伝達する動作は、動作状態に基づいて第１プロセッサ又は第２プロセッサのうち少なくとも１つを選択する動作と、選択に基づいて第１プロセッサ又は第２プロセッサでお知らせを処理する動作と、お知らせを他の電子装置に伝達する動作と、をさらに含むことができる。
【０２５６】
本発明の様々な実施形態によれば、確認する動作は、電子装置又は他の電子装置で提供するアプリケーション（又はアプリケーション）を確認する動作を含むことができる。本発明の様々な実施形態によれば、確認する動作は、電子装置又は他の電子装置の動作中のデータの処理量（ｌｏａｄ）を確認する動作を含むことができる。本発明の様々な実施形態によれば、確認する動作は、電子装置又は他の電子装置の電源状態（例えば、バッテリ状態）を確認する動作を含むことができる。本発明の様々な実施形態によれば、伝達する動作は、お知らせの種類（例えば、電話、ショートメッセージ、アラーム等）を伝達する動作を含むことができる。
【０２５７】
本発明の様々な実施形態によれば、状況情報を獲得する動作は、他の電子装置の着用状態を感知する動作を含むことができる。本発明の様々な実施形態によれば、状況情報を獲得する動作は、他の電子装置の動きを感知する動作を含むことができる。本発明の様々な実施形態によれば、状況情報を獲得する動作は、他の電子装置でユーザの瞳又はタッチのうち少なくとも１つを感知する動作を含むことができる。本発明の様々な実施形態によれば、状況情報を獲得する動作は、電子装置と他の電子装置との間の距離情報を獲得する動作を含むことができる。
【０２５８】
本発明の様々な実施形態によるお知らせを提供する方法及び装置は、お知らせを提供できる複数の電子装置のうち少なくとも１つの電子装置を選択し、選択された電子装置を介してお知らせを提供できるので、電力消費を低減することができる。
【０２５９】
また、本発明の様々な実施形態によるお知らせを提供する方法及び装置は、お知らせのユーザ確認有無を判断してユーザが確認しなかったお知らせを提供できるので、ユーザに使用上の便宜を提供できる。
【０２６０】
電子装置の動作方法は、お知らせ情報（ｎｏｔｉｆｉｃａｔｉｏｎ  ｉｎｆｏｒｍａｔｉｏｎ）を決定する動作、前記電子装置及び前記電子装置と通信する少なくとも１つの外部装置のうち１つの状態情報を獲得する動作、及び前記状態情報に基づいて前記電子装置及び前記少なくとも１つの外部装置のうち１つを介して前記お知らせ情報を提供する動作を含むことができる。
【０２６１】
前記お知らせ情報を決定する動作は、前記電子装置を介して確認（ｃｈｅｃｋ）されていない情報を前記電子装置のユーザによって前記お知らせ情報に決定する動作を含むことができる。
【０２６２】
前記お知らせ情報を決定する動作は、前記電子装置から前記少なくとも１つの外部装置に送信されていない情報を前記お知らせ情報に決定する動作を含むことができる。
【０２６３】
前記状態情報を獲得する動作は、第１優先権を有するお知らせ情報及び前記電子装置で実行する第２優先権を有するアプリケーションに対する情報を獲得する動作を含むことができる。前記お知らせ情報を提供する動作は、前記第１優先順位が前記第２優先順位より高いことに基づいて前記電子装置を介して前記お知らせ情報を提供する動作及び前記第１優先順位が前記第２優先順位より低いことに基づいて前記少なくとも１つの外部装置を介して前記お知らせ情報を提供する動作を含むことができる。
【０２６４】
前記お知らせ情報を提供する動作は、前記電子装置と前記少なくとも１つの外部装置のうち活性化された装置（ｅｎａｂｌｅｄ  ｄｅｖｉｃｅ）を介して前記お知らせ情報を提供する動作を含むことができる。
【０２６５】
前記お知らせ情報を提供する動作は、前記電子装置のユーザと関連づけられるように設定された情報に対応するユーザ情報を獲得する装置を介して前記お知らせ情報を提供する動作を含むことができる。
【０２６６】
前記お知らせ情報を提供する動作は、電源（ｐｏｗｅｒ  ｓｏｕｒｃｅ）情報又は負荷（ｌｏａｄ）情報が前記電子装置に指定された範囲に対応する状態情報として獲得されると前記状態情報に対応する装置に前記お知らせ情報を提供する動作を含むことができる。
【０２６７】
前記お知らせ情報を提供する動作は、前記電子装置又は前記少なくとも１つの外部装置が第１位置に位置する場合は、前記電子装置を介して前記お知らせ情報を提供し、前記電子装置又は前記少なくとも１つの外部装置が第２位置に位置する場合は、前記少なくとも１つの外部装置を介して前記お知らせ情報を提供する動作を含むことができる。
【０２６８】
前記お知らせ情報を提供する動作は、状態情報として獲得された時間情報が第１時間の場合は、前記お知らせ情報を前記電子装置を介して提供し、前記状態情報として獲得された時間情報が第２時間の場合は、前記お知らせ情報を前記少なくとも１つの外部装置を介して提供する動作を含むことができる。
【０２６９】
前記お知らせ情報を提供する動作は、前記電子装置と前記少なくとも１つの外部装置の間の通信情報又は距離情報が前記電子装置に指定された範囲に属する場合は、前記お知らせ情報を前記少なくとも外部装置に送信する動作を含むことができる。
【０２７０】
前記電子装置は、アプリケーションを処理する第１プロセッサ、前記電子装置の通信を制御する第２プロセッサを含んで前記お知らせ情報を提供できる。前記お知らせ情報を提供する動作は前記第１プロセッサがアプリケーションを実行すると、前記第２プロセッサを介して前記少なくとも１つの外部装置に前記お知らせ情報を送信する動作を含むことができる。前記電子装置のユーザと前記少なくとも１つの外部装置がお知らせ情報を確認したか否かに関する確認情報（ｃｈｅｃｋ  ｉｎｆｏｒｍａｔｉｏｎ）又は前記電子装置が前記少なくとも１つの外部装置に前記お知らせ情報を送信したか否かに関する送信情報を獲得する動作、及び前記確認情報又は前記送信情報を前記電子装置と機能的に連結されたデータベースに保存する動作をさらに含むことができる。前記確認情報を送信する動作は、前記確認情報又は前記情報情報が変更されると前記データベースを更新する動作をさらに含むことができる。
【０２７１】
電子装置の動作方法は、前記電子装置と外部装置の間の無線通信を設定する（ｅｓｔａｂｌｉｓｈ）するステップ；前記電子装置に通知されるイベントを検出するステップ；前記電子装置の状態を獲得するステップ；及び前記電子装置の状態に基づいて、外部装置に前記イベントに対するお知らせ（ｎｏｔｉｆｉｃａｔｉｏｎ）を送信するか否かを決定するステップを含むことができる。前記電子装置は、節電モード（ｐｏｗｅｒ  ｓａｖｉｎｇ  ｍｏｄｅ）にある場合がある。前記お知らせ情報の決定は、前記電子装置のユーザによって、前記電子装置を介して確認されていない情報をお知らせ情報に決定する動作を含むことができる。前記電子装置の画面はソフトウェアプログラムによって占有されている場合がある。前記電子装置は、前記外部装置が前記お知らせ情報を出力することが不可能な場合は前記お知らせ情報を出力できる。前記電子装置又は前記外部装置のうちユーザの視界内に位置する１つの装置を決定し、前記決定された装置を介して前記お知らせを表示する動作をさらに含むことができる。前記電子装置と前記外部装置の間の距離を測定し、前記距離がしきい値距離より小さければ前記お知らせを送信する動作をさらに含むことができる。
【０２７２】
本発明に用いられた用語「モジュール」は、例えば、ハードウェア、ソフトウェア又はファームウェア（ｆｉｒｍｗａｒｅ）のうち１つ又は２つ以上の組み合わせを含む単位（ｕｎｉｔ）を意味できる。「モジュール」は、例えば、ユニット（ｕｎｉｔ）、ロジック（ｌｏｇｉｃ）、論理ブロック（ｌｏｇｉｃａｌ  ｂｌｏｃｋ）、部品（ｃｏｍｐｏｎｅｎｔ）又は回路（ｃｉｒｃｕｉｔ）などの用語の代わりに用いられ（ｉｎｔｅｒｃｈａｎｇｅａｂｌｙ  ｕｓｅ）得る。「モジュール」は、一体として構成された部品の最小単位又はその一部になることができる。「モジュール」は、１つ又はそれ以上の機能を行う最小単位又はその一部になることができる。「モジュール」は、機械的又は電子的に具現され得る。例えば、本発明による「モジュール」は、知られた、または将来開発される、ある動作を行うＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）チップ、ＦＰＧＡｓ（ｆｉｅｌｄ−ｐｒｏｇｒａｍｍａｂｌｅ  ｇａｔｅ  ａｒｒａｙｓ）又はプログラマブルロジックデバイス（ｐｒｏｇｒａｍｍａｂｌｅ−ｌｏｇｉｃ  ｄｅｖｉｃｅ）のうち少なくとも１つを含むことができる。
【０２７３】
本発明の様々な実施形態によれば、本発明による装置（例えば、モジュール又はその機能）又は方法（例えば、動作）の少なくとも一部は、例えば、プログラミングモジュールの形態でコンピュータ読取可能な記憶媒体（ｃｏｍｐｕｔｅｒ−ｒｅａｄａｂｌｅ  ｓｔｏｒａｇｅ  ｍｅｄｉａ）に保存された命令として具現され得る。前記命令は、１つ以上のプロセッサ（例えば、前記プロセッサ810 によって実行される場合、前記１つ以上のプロセッサが前記命令に該当する機能を行うことができる。コンピュータ読取可能な記憶媒体は、例えば、前記メモリ860 であり得る。前記プログラミングモジュールの少なくとも一部は、例えば、前記プロセッサ810によって具現（ｉｍｐｌｅｍｅｎｔ）（例えば、実行）され得る。前記プログラミングモジュールの少なくとも一部は、１つ以上の機能を行うための、例えば、モジュール、アプリケーション、ルーチン、命令セット（ｓｅｔｓ  ｏｆ  ｉｎｓｔｒｕｃｔｉｏｎｓ）及び／又はプロセスなどを含むことができる。
【０２７４】
電子装置は、前記電子装置でお知らせ情報を決定（ｄｅｔｅｒｍｉｎｅ）する決定モジュール、前記電子装置及び前記電子装置と通信する少なくとも１つの外部装置のうち少なくとも１つに対する状態情報を獲得するための獲得モジュール、前記状態情報に基づいて前記電子装置及び前記少なくとも１つの外部装置のうち１つの装置を介して前記お知らせ情報を提供するための提供モジュールを含むことができる。
【０２７５】
前記獲得モジュールは、前記お知らせ情報の属性に基づいて指定された情報に対応する情報を状態情報として獲得できる。
【０２７６】
前記提供モジュールは、前記状態情報として獲得された前記電子装置のユーザに対する状態情報に基づいてユーザが現在使用する装置を介して前記お知らせ情報を提供できる。
【０２７７】
前記提供モジュールは、前記電子装置及び前記少なくとも１つの外部装置のうち活性化された装置を介して前記お知らせ情報を提供できる。
【０２７８】
前記提供モジュールは、前記電子装置で実行されるアプリケーションが前記お知らせ情報より高い優先権を有する場合は、前記お知らせ情報を少なくとも１つの外部装置に提供できる。
【０２７９】
コンピュータ読み取り可能な記録媒体は、電子装置でお知らせ情報を決定（ｄｅｔｅｒｍｉｎｅ）する動作；前記電子装置及び前記電子装置と通信する１つ以上の外部装置のうち少なくとも１つに対する状態情報を獲得する動作；及び前記状態情報に基づいて、前記電子装置及び前記１つ以上の外部装置のうち少なくとも１つの装置を介して前記お知らせ情報を提供する動作を行うためのアプリケーション又はプログラムを記録することができる。
【０２８０】
本発明によるプログラミングモジュールは、上記の構成要素のうち少なくとも１つ以上を含む、一部が省略される、又は追加的な他の構成要素をさらに含むことができる。本発明によるプログラミングモジュール又は他の構成要素によって行われる動作は、順次的、並列的、反復的又はヒューリスティック（ｈｅｕｒｉｓｔｉｃ）な方法で実行されることができる。また、一部の動作は他の順序で実行される、省略される、又は他の動作が追加されることができる。
【０２８１】
前記コンピュータ読取可能な記録媒体には、ハードディスク、フロッピー（登録商標）ディスク及び磁気テープのようなマグネティック媒体（Ｍａｇｎｅｔｉｃ  Ｍｅｄｉａ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光気録媒体（Ｏｐｔｉｃａｌ  Ｍｅｄｉａ）、フロプティカルディスク（Ｆｌｏｐｔｉｃａｌ  Ｄｉｓｋ）のような光磁気媒体（Ｍａｇｎｅｔｏ−Ｏｐｔｉｃａｌ  Ｍｅｄｉａ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びフラッシュメモリなどのようなアプリケーション命令（例えば、プログラミングモジュール）を保存して行うように特別に構成されたハードウェア装置が含まれ得る。また、アプリケーション命令にはコンパイラによって作られるような機械語コードだけでなくインタプリタなどを使用してコンピュータによって実行されることができる高級言語コードを含むことができる。上記のハードウェア装置は、本発明の動作を行うために１つ以上のソフトウェアモジュールとして作動するように構成されることができ、その逆も同じである。
【０２８２】
そして、本明細書及び図面に説明された本発明の実施形態は、本発明の技術内容を容易に説明して本発明の理解を助けるために特定の例を提示したものに過ぎず、本発明の範囲を限定しようとするものではない。よって、本発明の範囲はここに説明された実施形態以外にも本発明の技術的思想に基づいて導出された全ての変更又は変形された形態が本発明の範囲に含まれるものであると解析されるべきである。
【符号の説明】
【０２８３】
１００  ブロック図
１０１  電子装置
１０２  電子装置
１０４  電子装置
１１０  バス
１２０  お知らせ制御モジュール
１３０  メモリ
１３１  カーネル
１３２  ミドルウェア
１３３  アプリケーションプログラミングインタフェース（ＡＰＩ：ａｐｐｌｉｃａｔｉｏｎ  ｐｒｏｇｒａｍｍｉｎｇ  ｉｎｔｅｒｆａｃｅ）
１３４  アプリケーション
１４０  入出力インタフェース
１５０  ディスプレイ
１６０  プロセッサ
１６２  ネットワーク
１６４  サーバ
１７０  通信インタフェース
２１０  決定モジュール
２２０  確認モジュール
２３０  獲得モジュール
２４０  提供モジュール
３０１  第１電子装置
３０２  第２電子装置
３１１  第１電子装置
３１２  第２電子装置
３１４  第３電子装置
４０１  第１電子装置
４０２  第２電子装置
５０１  第１電子装置
５０２  第２電子装置
６０１  第１電子装置
６０２  第２電子装置
６１１  情報
６１３  情報
６１５  情報
６２０  データベース
６２１  情報
６２５  情報
６３０  データベース
６４０  データベース
８１０  プロセッサ
８６０  メモリ
９００  ハードウェア
９１０  プロセッサ
９１１  アプリケーションプロセッサ（ＡＰ：ａｐｐｌｉｃａｔｉｏｎ  ｐｒｏｃｅｓｓｏｒ）
９１３  コミュニケーションプロセッサ（ＣＰ：ｃｏｍｍｕｎｉｃａｔｉｏｎ  ｐｒｏｃｅｓｓｏｒ）
９１４  ＳＩＭカード
９２０  メモリ
９２２  内蔵メモリ
９２４  メモリ
９３０  通信モジュール
９３１  無線通信モジュール
９３３  ＷｉＦｉ
９３４  ＲＦモジュール
９３５  ＢＴ（ｂｌｕｅｔｏｏｔｈ（登録商標））
９３７  ＧＰＳ
９３９  ＮＦＣ（ｎｅａｒ  ｆｉｅｌｄ  ｃｏｍｍｕｎｉｃａｔｉｏｎ）
９４０  センサモジュール
９４０Ａ  ジェスチャセンサ
９４０Ｂ  ジャイロセンサ
９４０Ｃ  気圧センサ
９４０Ｄ  マグネティックセンサ
９４０Ｅ  加速度センサ
９４０Ｆ  グリップセンサ
９４０Ｇ  近接センサ
９４０Ｈ  ＲＧＢ（ｒｅｄ、ｇｒｅｅｎ、ｂｌｕｅ）センサ
９４０Ｉ  生体センサ
９４０Ｊ  温度／湿度センサ
９４０Ｋ  照度センサ
９４０Ｍ  ＵＶ（ｕｌｔｒａ  ｖｉｏｌｅｔ）センサ
９５０  ユーザ入力モジュール
９５２  タッチパネル
９５４  （デジタル）ペンセンサ
９５６  キー
９５８  超音波入力装置
９６０  ディスプレイモジュール
９６２  パネル
９６４  ホログラム
９７０  インタフェース
９７２  ＨＤＭＩ（登録商標）（ｈｉｇｈ−ｄｅｆｉｎｉｔｉｏｎ  ｍｕｌｔｉｍｅｄｉａ  ｉｎｔｅｒｆａｃｅ）
９７４  ＵＳＢ（ｕｎｉｖｅｒｓａｌ  ｓｅｒｉａｌ  ｂｕｓ）
９７６  プロジェクタ
９７８  Ｄ−ｓｕｂ（Ｄ−ｓｕｂｍｉｎｉａｔｕｒｅ）
９８０  オーディオコーデック
９８２  スピーカ
９８４  レシーバ
９８６  イヤホン
９８８  マイク
９９１  カメラモジュール
９９５  電力管理モジュール
９９６  バッテリ
９９７  インジケータ
９９８  モータ
【図１】
2020039150.tif 000003
【図２】
2020039150.tif 000004
【図３Ａ】
2020039150.tif 000005
【図３Ｂ】
2020039150.tif 000006
【図４Ａ】
2020039150.tif 000007
【図４Ｂ】
2020039150.tif 000008
【図４Ｃ】
2020039150.tif 000009
【図５Ａ】
2020039150.tif 000010
【図５Ｂ】
2020039150.tif 000011
【図６】
2020039150.tif 000012
【図７】
2020039150.tif 000013
【図８】
2020039150.tif 000014
【図９】
2020039150.tif 000015
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
電子装置で、お知らせ情報を決定（ｄｅｔｅｒｍｉｎｅ）する動作；
前記電子装置及び前記電子装置と通信する１つ以上の外部装置のうち少なくとも１つに関する状態情報を獲得する動作；及び
前記状態情報に基づいて、前記電子装置及び前記１つ以上の外部装置のうち少なくとも１つの装置を介して前記お知らせ情報を提供する動作を含む方法。
【請求項２】
前記決定する動作は、
前記電子装置に対するユーザが前記電子装置を介して確認しなかった情報を前記お知らせ情報として決定する動作を含む請求項１に記載の方法。
【請求項３】
前記決定する動作は、
前記電子装置で前記１つ以上の外部装置に送信しなかった情報を前記お知らせ情報として決定する動作を含む請求項１に記載の方法。
【請求項４】
前記獲得する動作は、
第１優先順位を有する前記お知らせ情報及び前記電子装置で実行中の第２優先順位を有するアプリケーションに関する情報を獲得する動作を含む請求項１に記載の方法。
【請求項５】
前記提供する動作は、
前記第１優先順位が前記第２優先順位より高いことに基づいて前記電子装置を介して前記お知らせ情報を提供する動作；及び
前記第１優先順位が前記第２優先順位より低いことに基づいて前記１つ以上の外部装置を介して前記お知らせ情報を提供する動作を含む請求項４に記載の方法。
【請求項６】
前記提供する動作は、
前記電子装置及び前記１つ以上の外部装置のうち活性化された装置を介して前記お知らせ情報を提供する動作を含む請求項１に記載の方法。
【請求項７】
前記提供する動作は、
前記電子装置に対するユーザに関連づけられて設定された情報に対応するユーザ情報を獲得した装置を介して前記お知らせ情報を提供する動作を含む請求項１に記載の方法。
【請求項８】
前記提供する動作は、
前記状態情報として獲得された電源情報又は処理量情報が前記電子装置に指定された範囲に対応する場合、前記状態情報に該当する装置を介して前記お知らせ情報を提供する動作を含む請求項１に記載の方法。
【請求項９】
前記提供する動作は、
前記電子装置又は前記１つ以上の外部装置が第１位置にある場合には前記電子装置を介して前記お知らせ情報を提供する動作；及び
前記電子装置又は前記１つ以上の外部装置が第２位置にある場合には前記１つ以上の外部装置を介して前記お知らせ情報を提供する動作を含む請求項１に記載の方法。
【請求項１０】
前記提供する動作は、
前記状態情報として獲得された時間情報が第１時間である場合には前記電子装置を介して前記お知らせ情報を提供する動作；及び
前記状態情報として獲得された時間情報が第２時間である場合には前記１つ以上の外部装置を介して前記お知らせ情報を提供する動作を含む請求項１に記載の方法。
【請求項１１】
前記提供する動作は、
前記電子装置と前記１つ以上の外部装置との間の通信情報又は距離情報が前記電子装置に指定された範囲に属する場合、前記お知らせ情報を前記１つ以上の外部装置に送信する動作を含む請求項１に記載の方法。
【請求項１２】
前記電子装置は、アプリケーションを処理するための第１プロセッサ及び前記電子装置の通信を制御するための第２プロセッサを含み、前記提供する動作は、
前記第１プロセッサが前記アプリケーションを実行している場合には、前記お知らせ情報を前記第２プロセッサを介して前記１つ以上の外部装置に送信する動作を含む請求項１に記載の方法。
【請求項１３】
前記電子装置及び前記１つ以上の外部装置に対するユーザが前記お知らせ情報を確認したか否かに関連した確認情報又は前記電子装置で前記お知らせ情報を前記１つ以上の外部装置に送信したか否かに関連した送信情報を獲得する動作；及び
前記確認情報又は前記送信情報を前記電子装置に機能的に接続されたデータベース（ｄａｔａｂａｓｅ）に保存する動作をさらに含む請求項１に記載の方法。
【請求項１４】
前記保存する動作は、
前記確認情報又は前記送信情報が変更された場合、前記データベースをアップデートする動作をさらに含む請求項１３に記載の方法。
【請求項１５】
電子装置でお知らせ情報を決定（ｄｅｔｅｒｍｉｎｅ）するための決定モジュール；
前記電子装置及び前記電子装置と通信する１つ以上の外部装置のうち少なくとも１つに関する状態情報を獲得するための獲得モジュール；及び
前記状態情報に基づいて、前記電子装置及び前記１つ以上の外部装置のうち少なくとも１つの装置を介して前記お知らせ情報を提供するための提供モジュールを含む電子装置。
【請求項１６】
前記獲得モジュールは、
前記お知らせ情報の属性に基づいて指定された情報に対応する情報を前記状態情報として獲得するように設定された請求項１５に記載の電子装置。
【請求項１７】
前記提供モジュールは、
前記状態情報として獲得された前記電子装置に対するユーザに関する状態情報に基づいて、前記ユーザが現在使用している装置を介して前記お知らせ情報を提供するように設定された請求項１５に記載の電子装置。
【請求項１８】
前記提供モジュールは、
前記電子装置及び前記１つ以上の外部装置のうち活性化された装置を介して前記お知らせ情報を提供するように設定された請求項１５に記載の電子装置。
【請求項１９】
前記提供モジュールは、
前記電子装置で実行中のアプリケーションが前記お知らせ情報より優先順位が高い場合、前記お知らせ情報を前記１つ以上の外部装置に送信するように設定された請求項１５に記載の電子装置。
【請求項２０】
電子装置で、お知らせ情報を決定（ｄｅｔｅｒｍｉｎｅ）する動作；
前記電子装置及び前記電子装置と通信する１つ以上の外部装置のうち少なくとも１つに関する状態情報を獲得する動作；及び
前記状態情報に基づいて、前記電子装置及び前記１つ以上の外部装置のうち少なくとも１つの装置を介して前記お知らせ情報を提供する動作を行うためのアプリケーション又はプログラムを記録したコンピュータ読取可能な記録媒体。